(57)【特許請求の範囲】
【請求項１】
線状の端子にコンタクトが接触するとともに当該線状の端子を保持することで当該線状の端子に対して接続されるコネクタであって、
平板状の部材に設置されるとともに、前記線状の端子の側方に対して両側から接触する一対の端子接触部を有し、一体に形成された前記コンタクトと、
前記コンタクトの側方を覆うとともに前記一対の端子接触部が並ぶ方向における当該コンタクトの両側壁のそれぞれに対して外側で摺接可能に配置され、一体に形成されたハウジングと、
を備え、
前記コンタクト及び前記ハウジングは、それぞれ1つずつ設けられ、
前記一対の端子接触部は、前記コンタクトにおいてそれぞれ片持ち状に延びるように設けられるとともに、前記平板状の部材において前記コンタクトが設置される設置面に対して平行にそれぞれ片持ち状に延びるように配置され、
前記ハウジングは、前記コンタクトに対して当該コンタクトの側壁に摺接しながら直線方向に沿って相対移動を行うことで前記一対の端子接触部を前記線状の端子に接触させて保持し、前記相対移動を行う前の状態においては当該コンタクトを弾性変形させて前記一対の端子接触部を開かせた状態で前記コンタクトの側壁に対して係止され、
前記コンタクトには、前記一対の端子接触部のそれぞれに連続する部分から当該コンタクトの側壁の一部を構成する部分にまで亘って延長されるように形成され、前記一対の端子接触部とともに撓み可能に形成された一対の延長部が設けられ、
前記ハウジングには、前記相対移動に伴って、前記コンタクトを外側から挟むように前記一対の延長部のそれぞれに対して接触する位置である延長部接触位置を調整可能な接触位置調整部が設けられ、
前記接触位置調整部は、前記一対の延長部のそれぞれにおける前記延長部接触位置から前記一対の端子接触部のそれぞれにおける前記線状の端子に接触する位置までの前記コンタクトに沿った経路の長さ寸法を、前記ハウジングの前記相対移動に伴って、短くなるように調整することを特徴とする、コネクタ。
【請求項２】
請求項１に記載のコネクタであって、
前記ハウジングは、前記設置面に対して垂直な方向に沿って移動することで、前記コンタクトに対して直線方向に沿って前記相対移動を行なうことを特徴とする、コネクタ。
【請求項３】
請求項１又は請求項２に記載のコネクタであって、
前記接触位置調整部は、前記ハウジングにおいて前記コンタクトの側壁に接触する壁部の一部として設けられるとともに、当該壁部の厚みが変化した部分を有するように形成されていることを特徴とする、コネクタ。
【請求項４】
請求項３に記載のコネクタであって、
前記接触位置調整部は、前記ハウジングの壁部において段状に形成された部分を有するように設けられていることを特徴とする、コネクタ。
【発明の詳細な説明】
【技術分野】
【０００１】
本発明は、線状の端子にコンタクトが接触するとともに線状の端子を保持することで線状の端子に対して接続されるコネクタに関する。
【背景技術】
【０００２】
線状の端子にコンタクトが接触するとともに線状の端子を保持することで線状の端子に対して接続されるコネクタとして、特許文献１や特許文献２に開示されたものが知られている。特許文献１或いは特許文献２に開示されたコネクタは、冷陰極管等の蛍光管の端部から突出した線状の端子に対して接続されるコネクタとして構成されている。
【０００３】
特許文献１においては、基板として設けられた平板状の部材に設置される筐体形状のソケット本体と、ソケット本体内で移動可能に設けられたカバー部材と、２つのコンタクト片として設けられた一対の端子接触部を有するとともにソケット本体に固定されるコンタクトと、の３つの構成部品を備えて構成されたコネクタが開示されている。そして、このコネクタは、カバー部材の移動に伴ってこのカバー部材に設けられたカム体によって一対の端子接触部が開閉され、蛍光管の線状の端子と一対の端子接触部とが接触し、線状の端子に対して電気的に接続される。
【０００４】
特許文献２の図７及び図８においては、基板として設けられた平板状の部材に設置されるコンタクトと、コンタクトに対して直線方向に沿ってスライド移動可能なスライダーとして設けられたハウジングと、を備えて構成されたコネクタが開示されている。また、このコネクタにおけるコンタクトには、ハウジングの内側に配置されて蛍光管の線状の端子に接触する接触部として設けられた一対の端子接触部と、この一対の端子接触部の近傍にそれぞれ設けられる押圧部と、ハウジングの更に外側に配置されてハウジングをスライド移動可能に支持する一対の側壁状のガイド板とが、一体に形成されている。ハウジングにはスライド軸が設けられ、一対の側壁状のガイド板は、スライド軸がスライド移動するスライド穴が形成されるとともに、底板により連結されている。そして、このコネクタは、ハウジングが直線方向に沿ってスライド移動し、ハウジングがコンタクトの押圧部を押圧することで、一対の端子接触部が変位して線状の端子に対して接触するように構成されている。
【先行技術文献】
【特許文献】
【０００５】
【特許文献１】特開２００９−２６５５５号公報
【特許文献２】特開２００８−３４３３０号公報
【発明の概要】
【発明が解決しようとする課題】
【０００６】
特許文献１に開示されたコネクタでは、構成部品として、ソケット本体、カバー部材、及びコンタクトの３つの部品が必要となるため、構成部品点数が多くなってしまうことになる。また、コネクタの適用対象として市場で求められるアプリケーション（例えば、液晶表示装置）において、薄型化を図るためには、そのアプリケーションに内蔵されるコネクタにおいても構造の薄型化を図ることが必要となる。これに対し、特許文献１に開示のコネクタの場合、コンタクトにおける一対の端子接触部が平板状の部材に対して垂直方向に延びるように設けられる。このため、特許文献１の開示のコネクタでは、液晶表示装置等のような市場で求められるアプリケーションの薄型化に直接に影響するコネクタ構造の薄型化を図ることが難しく、市場でのアプリケーションの薄型化の要求に対応することが困難である。
【０００７】
一方、特許文献２に開示されたコネクタでは、コンタクトとハウジングとが１つずつ設けられるため、コネクタの構成部品点数を最小化することができる。そして、一対の端子接触部が平板状の部材に対して平行に配置されるため、この端子接触部に対応する部分に関しては、コネクタ構造の薄型化を図ることが可能となる。また、特許文献２に開示のコネクタでは、ハウジングがコンタクトに対して直線方向にスライド移動して線状の端子に端子接触部を接触させて線状の端子への電気的な接続を完成させることになるため、線状の端子に対する接続工程の簡素化を図ることが可能となる。
【０００８】
しかしながら、特許文献２に開示のコネクタは、ハウジングの内側に配置される一対の端子接触部を有するコンタクトに一体に形成されてハウジングの更に外側に配置される大きなガイド板が設けられた構造となる。このため、コネクタ構造の大型化及び複雑化を招いてしまうことになる。
【０００９】
また、特許文献２に開示のコネクタでは、線状の端子に外力をほとんど作用させることなく一対の端子接触部の間に線状の端子を配置可能であるものの、ハウジングに設けられたスライド軸が一対の側壁状のガイド板に形成されたスライド穴にスライド可能に保持されるのみの構造として構成されることになる。このため、線状の端子への電気的な接続が完成する前の状態においては、ハウジングのコンタクトに対する位置が安定せず、効率的な接続作業が阻害されてしまうことになる。よって、線状の端子に外力をほとんど作用させることなく一対の端子接触部の間に線状の端子を配置することができるとともに、その後、容易に効率よく接続作業を行うことができる構造が実現されることが望まれる。
【００１０】
また、特許文献２に開示のコネクタでは、電気的な接続が完成した状態では、ハウジングによる保持力のみによって線状の端子が保持される。ハウジングによる保持力のみの場合、線状の端子を保持するための十分な保持力が不足する虞がある。例えば、高温雰囲気下で用いられるようなコネクタの場合、ハウジングによる保持力のみでは線状の端子を保持するための十分な保持力が不足する可能性が高くなってしまう。従って、ハウジングの保持力に加え、コンタクトによる保持力も確保することで線状の端子をより強固に保持可能な構造とすることが望まれる。しかしながら、線状の端子に外力をほとんど作用させることなく一対の端子接触部の間に線状の端子を配置することができることも必要となる。よって、線状の端子に外力をほとんど作用させることなく一対の端子接触部の間に線状の端子を配置可能であるとともに、線状の端子をより強固に保持可能な構造が実現されることが望まれる。
【００１１】
本発明は、上記実情に鑑みることにより、構成部品点数を最小化できるとともに線状の端子に対する接続工程を簡素化でき、線状の端子に外力をほとんど作用させずに配置した後に容易に効率よく接続作業を行えるとともに線状の端子を強固に保持することができ、更に、市場でのアプリケーションの薄型化の要求に対応可能な薄型のコネクタ構造において構造の更なる小型化及び簡素化を図ることができるコネクタを提供することを目的とする。
【課題を解決するための手段】
【００１２】
上記目的を達成するための本発明に係るコネクタは、線状の端子にコンタクトが接触するとともに当該線状の端子を保持することで当該線状の端子に対して接続されるコネクタに関する。そして、本発明に係るコネクタは、平板状の部材に設置されるとともに、前記線状の端子の側方に対して両側から接触する一対の端子接触部を有し、一体に形成された前記コンタクトと、前記コンタクトの側方を覆うとともに前記一対の端子接触部が並ぶ方向における当該コンタクトの両側壁のそれぞれに対して外側で摺接可能に配置され、一体に形成されたハウジングと、を備え、前記コンタクト及び前記ハウジングは、それぞれ1つずつ設けられ、前記一対の端子接触部は、前記コンタクトにおいてそれぞれ片持ち状に延びるように設けられるとともに、前記平板状の部材において前記コンタクトが設置される設置面に対して平行に延びるように配置され、前記ハウジングは、前記コンタクトに対して当該コンタクトの側壁に摺接しながら直線方向に沿って相対移動を行うことで前記一対の端子接触部を前記線状の端子に接触させて保持し、前記相対移動を行う前の状態においては当該コンタクトを弾性変形させて前記一対の端子接触部を開かせた状態で前記コンタクトの側壁に対して係止されることを特徴とする。
【００１３】
この発明によると、一体に形成されたコンタクト及びハウジングが１つずつ設けられることでコネクタが構成されるため、コネクタの構成部品点数を最小化することができる。そして、コンタクトにおける一対の端子接触部が平板状の部材の設置面に対して平行に配置されるため、市場でのアプリケーションの薄型化の要求（例えば、液晶表示装置の薄型化の要求）に対応可能なようにコネクタ構造の薄型化を図ることができる。
【００１４】
また、ハウジングが、コンタクトの両側壁に外側で摺接可能に配置される。このため、本発明のコネクタは、特許文献２に開示されたコネクタとは異なり、ハウジングの内側に配置される一対の端子接触部を有するコンタクトに一体に形成されてハウジングの更に外側に配置される大きなガイド板が設けられたような構造となることがない。これにより、薄型のコネクタ構造において、構造の更なる小型化及び簡素化を図ることができる。また、本発明のコネクタでは、ハウジングがコンタクトに摺接しながら直線方向に相対移動することで線状の端子に端子接触部を接触させて線状の端子への電気的な接続が完成することになるため、線状の端子に対する接続工程の簡素化を図ることができる。
【００１５】
更に、本発明のコネクタでは、ハウジングは、コンタクトに対して相対移動する前の状態において一対の端子接触部を開かせた状態でコンタクトの側壁に対して係止される。このため、線状の端子と電気的に接続される前の状態において、開かせた一対の端子接触部の間に線状の端子を容易に外力をほとんど作用させることなく配置することができる。そして、線状の端子への電気的な接続が完成する前に、一旦、ハウジングがコンタクトの側壁に係止される状態を実現することができるため、その後、ハウジングをコンタクトに対して相対移動させるだけで、容易に効率よく接続作業を行うことができる。更に、ハウジングでコンタクトを弾性変形させて一対の端子接触部を開かせた状態で線状の端子が配置されるため、その後にハウジングが相対移動して電気的な接続が完成した状態では、ハウジングでの保持力に加えて、コンタクトの弾性力による保持力も確保されることになる。これにより、線状の端子をより強固に保持することができる。
【００１６】
従って、本発明によると、構成部品点数を最小化できるとともに線状の端子に対する接続工程を簡素化でき、線状の端子に外力をほとんど作用させずに配置した後に容易に効率よく接続作業を行えるとともに線状の端子を強固に保持することができ、更に、市場でのアプリケーションの薄型化の要求に対応可能な薄型のコネクタ構造において構造の更なる小型化及び簡素化を図ることができるコネクタを提供することができる。
【００１７】
本発明に係るコネクタは、前記ハウジングは、前記設置面に対して垂直な方向に沿って移動することで、前記コンタクトに対して直線方向に沿って前記相対移動を行なうことが好ましい。
【００１８】
この発明によると、一対の端子接触部が平板状の部材の設置面に対して平行に延びるように設けられることで薄型化が図られたコネクタにおいて、ハウジングが上記設置面と垂直に相対移動を行なうことで一対の端子接触部を線状の端子に接触させて電気的接続を完成するように構成される。このため、ハウジングの相対移動方向が設置面に沿って広がるように延びるコネクタ構造となることがなく、一対の端子接触部の配置に対してハウジングの相対移動方向をスペース効率よくコンパクトに設定することができる。これにより、コネクタ構造の更なる小型化を図ることができる。
【００１９】
本発明に係るコネクタは、前記コンタクトには、前記一対の端子接触部のそれぞれに連続する部分から当該コンタクトの側壁の一部を構成する部分にまで亘って延長されるように形成され、前記一対の端子接触部とともに撓み可能に形成された一対の延長部が設けられ、前記ハウジングには、前記相対移動に伴って、前記コンタクトを外側から挟むように前記一対の延長部のそれぞれに対して接触する位置である延長部接触位置を調整可能な接触位置調整部が設けられ、前記接触位置調整部は、前記一対の延長部のそれぞれにおける前記延長部接触位置から前記一対の端子接触部のそれぞれにおける前記線状の端子に接触する位置までの前記コンタクトに沿った経路の長さ寸法を、前記ハウジングの前記相対移動に伴って、短くなるように調整することが好ましい。
【００２０】
この発明によると、ハウジングの相対移動前の状態では、延長部接触位置から線状の端子に接触する位置までのコンタクトに沿った経路の長さ寸法が長く確保される。よって、ハウジングの相対移動前で一対の端子接触部の間に線状の端子が配置される状態においては、一対の延長部が撓み易い状態となるため、線状の端子を配置し易いように一対の端子接触部を容易に開かせることができる。一方、ハウジングの相対移動後の状態では、接触位置調整部の作動により、上記経路の長さ寸法が短く調整されることになる。このため、ハウジングの相対移動後で一対の端子接触部の間に線状の端子が保持される状態においては、一対の延長部が撓み難い状態となるため、線状の端子をより強固に保持することができる。従って、線状の端子を配置する際には一対の端子接触部の間を容易に開かせるとともに、線状の端子を保持する際にはより強固な保持力を確保することができるように、ハウジングの相対移動に伴って調整可能なコネクタ構造を実現することができる。
【００２１】
本発明に係るコネクタは、前記接触位置調整部は、前記ハウジングにおいて前記コンタクトの側壁に接触する壁部の一部として設けられるとともに、当該壁部の厚みが変化した部分を有するように形成されていることが好ましい。
【００２２】
この発明によると、延長部接触位置から線状の端子に接触する位置までのコンタクトに沿った経路の長さ寸法をハウジングの相対移動に伴って調整する接触位置調整部について、ハウジングの壁部の一部を有効的に活用して構成することができる。よって、接触位置調整部をスペース効率よくコンパクトな構造で実現することができる。
【００２３】
本発明に係るコネクタは、前記接触位置調整部は、前記ハウジングの壁部において段状に形成された部分を有するように設けられていることが好ましい。
【００２４】
この発明によると、ハウジングの壁部に段状の部分を設けることで、より簡素な構造で接触位置調整部を実現することができる。
【００２５】
本発明に係るコネクタは、前記コンタクトには、前記一対の端子接触部のそれぞれに連続する部分から当該コンタクトの側壁の一部を構成する部分にまで亘って延長されるように形成され、前記一対の端子接触部とともに撓み可能に形成された一対の延長部が設けられ、前記一対の延長部のそれぞれは、複数回屈曲して延びるように形成されていることも好ましい。
【００２６】
この発明によると、一対の端子接触部とともに撓み可能でコンタクトの側壁の一部を構成する部分まで延びる一対の延長部が、複数回屈曲して延びるように形成される。このため、コンタクトが長大化してしまうことを抑制して小型化を図りつつ、一対の延長部におけるコンタクトに沿った経路の長さ寸法を長く確保できる。これにより、一対の端子接触部を容易に開かせて線状の端子を配置し易いように一対の延長部を撓み易く構成できるとともに、コネクタの小型化も図ることができるコネクタ構造を実現することができる。
【００２７】
本発明に係るコネクタは、前記ハウジングには、前記相対移動を行う前の状態において前記一対の端子接触部を開かせるように前記コンタクトを弾性変形させるとともに、前記相対移動が行われることで当該コンタクトを弾性回復させて当該一対の端子接触部を前記線状の端子に向かって閉じる方向に変位させる開閉部が設けられていることも好ましい。
【００２８】
この発明によると、ハウジングがコンタクトの側壁に係止されて相対移動を行う前の状態においては、ハウジングに設けられた開閉部によって、一対の端子接触部が弾性変形して強制的に開かれた状態となる。一方、ハウジングの相対移動が行われると、ハウジングに設けられた開閉部も移動し、一対の端子接触部が弾性回復して閉じることで線状の端子が保持されることになる。このため、ハウジングの相対移動前後における一対の端子接触部に対する開閉部の位置の変化を有効的に活用して、ハウジングの相対移動前後でハウジングの動作に連動して一対の端子接触部を自動的に開閉させる機構を構成することができる。
【００２９】
本発明に係るコネクタは、前記ハウジングは、前記設置面に対して垂直な方向に沿って移動することで、前記コンタクトに対して直線方向に沿って前記相対移動を行い、前記開閉部は、前記ハウジングにおいて、突出して形成された部分として設けられるとともに前記一対の端子接触部の間で前記設置面に対して垂直に移動する部分として設けられていることも好ましい。
【００３０】
この発明によると、ハウジングの相対移動方向が設置面と垂直なため、設置面と平行に延びる一対の端子接触部の配置に対してハウジングの相対移動方向がスペース効率よくコンパクトに設定され、コネクタ構造の更なる小型化が図られる。そして、開閉部が、一対の端子接触部間でハウジングとともに設置面に垂直に移動する突出部分として設けられる。このため、更なる小型化が図られたコネクタ構造において、設置面に垂直な方向でのハウジングの相対移動の前後でハウジングの動作に連動して設置面に平行な一対の端子接触部を自動的に開閉させる機構を突出部分として簡素な構造で形成することができる。
【００３１】
本発明に係るコネクタは、前記コンタクトには、前記一対の端子接触部のそれぞれから突出するように形成された複数の第１突出片部が設けられ、前記ハウジングが前記コンタクトに対して取り付けられて係止される際には、前記一対の端子接触部の一方から突出する前記第１突出片部と他方から突出する前記第１突出片部との間に前記開閉部が受け入れられるように挿入され、複数の前記第１突出片部には、前記開閉部が挿入される挿入方向と反対の方向において外側に向かって広がるように傾斜した傾斜部分がそれぞれ設けられていることも好ましい。
【００３２】
この発明によると、一対の端子接触部には、開閉部が間に挿入される複数の第１突出片部が設けられ、これらの第１突出片部には、開閉部の挿入方向と反対側で外側に広がる傾斜部分が設けられている。このため、ハウジングがコンタクトに対して取り付けられて係止する際には、挿入される開閉部が上記の傾斜部分に対して滑らかに摺動し、複数の第１突出片部が外側に向かって開かれ、一対の端子接触部も容易に開かれることになる。よって、ハウジングをコンタクトに係止させる際に、一対の端子接触部を更に容易に開かせることができる。
【００３３】
本発明に係るコネクタは、前記コンタクトには、前記一対の端子接触部のそれぞれから突出するように形成された複数の第２突出片部が設けられ、複数の前記第２突出片部のそれぞれには、前記一対の端子接触部が並ぶ方向と平行な方向における前記コンタクトの内側に向かって出っ張るように形成された出っ張り部分がそれぞれ設けられ、前記出っ張り部分のそれぞれは、前記相対移動が行われて前記一対の端子接触部に保持された前記線状の端子が前記設置面側と反対の方向へ移動することを規制することも好ましい。
【００３４】
この発明によると、一対の端子接触部には、コンタクトの内側に向かって出っ張る出っ張り部分がそれぞれ形成された複数の第２突出片部が設けられている。そして、ハウジングの相対移動が行われて一対の端子接触部に線状の端子が保持された際には、上記の出っ張り部分によって、設置面側と反対側への線状の端子の移動が規制される。このため、一対の端子接触部に出っ張り部分を有する第２突出片部を設けるという簡素な構成によって、一対の端子接触部の間で保持された線状の端子の脱落を効率よく防止することができる。
【００３５】
本発明に係るコネクタは、前記ハウジングの壁部の内側には、前記相対移動が行われたときに、前記一対の端子接触部のそれぞれに対して係合する内側係合部が設けられていることも好ましい。
【００３６】
この発明によると、ハウジングの壁部内側には、ハウジングの相対移動後の状態で一対の端子接触部のそれぞれに係合する内側係合部が設けられている。このため、一対の端子接触部の間で線状の端子が保持された状態では、内側係合部が一対の端子接触部の両側から係合することで一対の端子接触部が開いてしまうことが規制されることになる。これにより、一対の端子接触部が開くことが防止されて、一対の端子接触部の間で線状の端子をより強固に保持することができ、線状の端子の脱落を効率よく防止することができる。
【００３７】
本発明に係るコネクタは、前記一対の端子接触部における互いに対向する対向面のそれぞれには、当該一対の端子接触部の間で前記線状の端子を保持する前記コンタクトの弾性力の作用に伴って当該線状の端子を当該一対の端子接触部に対して前記設置面に垂直な方向における所定の位置に向かって誘導するガイド部が設けられていることも好ましい。
【００３８】
この発明によると、一対の端子接触部における対向面に、コンタクトの弾性力の作用で線状の端子を所定の位置に誘導するガイド部が設けられている。このため、一対の端子接触部が線状の端子を保持した状態では、線状の端子を設置面に垂直な方向における所定の位置において安定して保持することができる。
【００３９】
本発明に係るコネクタは、前記ガイド部は、前記対向面のそれぞれに形成されて前記接地面に垂直な方向に対して傾斜する勾配面を有していることも好ましい。
【００４０】
この発明によると、ガイド部が一対の端子接触部の対向面における勾配面を有する部分として設けられる。このため、一対の端子接触部に保持された線状の端子を設置面に垂直な方向における所定の位置に安定して保持することができるガイド部を勾配面の傾斜を利用した簡素な構成で実現することができる。
【００４１】
本発明に係るコネクタは、前記コンタクト及び前記ハウジングのそれぞれには、前記ハウジングの前記相対移動が行われる前の状態において前記ハウジングを前記コンタクトに対して係止させるように互いに係止し合う係止部が凸状に形成された部分として設けられていることも好ましい。
【００４２】
この発明によると、係止部が、コンタクト及びハウジングにおいて凸状に形成されて互いに係止し合う部分として設けられる。このため、ハウジングの相対移動前の状態でハウジングをコンタクトに係止させる係止部について、コンタクト及びハウジングにおける近接して配置された部分を利用した構成でスペース効率よく形成することができる。
【００４３】
本発明に係るコネクタは、前記コンタクト及び前記ハウジングのうちの一方には、前記係止部として、間に溝状の凹部を形成する一対の第１凸部が形成され、前記コンタクト及び前記ハウジングのうちの他方には、前記係止部として、前記凹部に対して嵌り込む第２凸部が形成されていることも好ましい。
【００４４】
この発明によると、コンタクト及びハウジングにおいて、一方に一対の第１凸部が形成されるとともに他方に第２凸部が形成された簡素な構成で容易に係止部を形成することができる。
【００４５】
本発明に係るコネクタは、前記平板状の部材は、基板又は金属製のバー部材として設けられ、前記線状の端子は、蛍光管の端子として設けられていることも好ましい。
【００４６】
この発明によると、基板又は金属製のバー部材と蛍光管の端子とを接続するコネクタにおいて、構成部品点数を最小化できるとともに蛍光管の端子に対する接続工程を簡素化でき、蛍光管の端子に外力をほとんど作用させずに配置した後に容易に効率よく接続作業を行えるとともに蛍光管の端子を強固に保持することができ、更に、薄型のコネクタ構造において構造の更なる小型化及び簡素化を図ることができる。
【発明の効果】
【００４７】
本発明によると、構成部品点数を最小化できるとともに線状の端子に対する接続工程を簡素化でき、線状の端子に外力をほとんど作用させずに配置した後に容易に効率よく接続作業を行えるとともに線状の端子を強固に保持することができ、更に、薄型のコネクタ構造において構造の更なる小型化及び簡素化を図ることができるコネクタを提供することができる。
【図面の簡単な説明】
【００４８】
【図１】本発明の第１実施形態に係るコネクタを示す斜視図である。
【図２】図１に示すコネクタにおけるコンタクトを示す斜視図である。
【図３】図１に示すコネクタにおけるハウジングを示す斜視図である。
【図４】図１に示すコネクタの平面図、正面図、及び側面図である。
【図５】図４におけるＡ−Ａ線矢視位置、Ｂ−Ｂ線矢視位置、及びＣ−Ｃ線矢視位置での断面図である。
【図６】図４におけるＤ−Ｄ線矢視位置での断面図である。
【図７】図１に示すコネクタについて蛍光管とともに示す平面図及び正面図である。
【図８】図５に示す断面図の一部を拡大して示す拡大断面図である。
【図９】図１に示すコネクタにおいてハウジングがコンタクトに対して相対移動した状態を示す斜視図である。
【図１０】図９に示すコネクタの平面図、正面図、及び側面図である。
【図１１】図１０におけるＥ−Ｅ線矢視位置、Ｆ−Ｆ線矢視位置、及びＧ−Ｇ線矢視位置での断面図である。
【図１２】図１０におけるＨ−Ｈ線矢視位置での断面図である。
【図１３】図９に示すコネクタについて蛍光管とともに示す平面図及び正面図である。
【図１４】図１３の一部を切欠き状態で拡大して示す拡大図である。
【図１５】本発明の第２実施形態に係るコネクタを示す正面図、側面図、その側面図に対する平面図及び底面図である。
【図１６】図１５に示すコネクタにおけるコンタクトを示す斜視図である。
【図１７】図１５に示すコネクタにおけるハウジングを示す斜視図である。
【図１８】図１５に示すコネクタにおけるハウジングを示す斜視図である。
【図１９】図１５におけるＩ−Ｉ線矢視位置での断面図である。
【図２０】図１５におけるＪ−Ｊ線矢視位置、Ｋ−Ｋ線矢視位置、及びＭ−Ｍ線矢視位置での断面図である。
【図２１】図１５に示すコネクタがＧＮＤバーに対して設置された状態を示す正面図、側面図、その側面図に対する平面図及び底面図、背面図である。
【図２２】図２１におけるＮ−Ｎ線矢視位置での断面図及びその一部を拡大して示す拡大断面図である。
【図２３】図１５に示すコネクタにおいてハウジングがコンタクトに対して相対移動した状態をＧＮＤバー及び蛍光管の一部とともに示す正面図、側面図、その側面図に対する平面図及び底面図、背面図である。
【図２４】図２３におけるＲ−Ｒ線矢視位置での断面図である。
【図２５】図２３におけるＳ−Ｓ線矢視位置での断面図及びその一部を切欠き状態で拡大して示す拡大断面図である。
【図２６】変形例に係るコネクタを示す断面図である。
【図２７】図２６における一部を拡大して示す拡大断面図である。
【図２８】変形例に係るコネクタを示す断面図である。
【発明を実施するための形態】
【００４９】
以下、本発明を実施するための形態について図面を参照しつつ説明する。尚、本発明は、線状の端子にコンタクトが接触するとともに線状の端子を保持することで線状の端子に対して接続されるコネクタに関して、広く適用することができるものである。また、以下の実施形態では、線状の端子が蛍光管の端子として設けられている場合を例にとって説明するが、この例に限らず、種々の形態の線状の端子に対して接続されるコネクタに関して、広く本発明を適用することができる。
【００５０】
（第１実施形態）
図１は、本発明の第１実施形態に係るコネクタ１を示す斜視図である。本実施形態において例示するコネクタ１は、本実施形態における平板状の部材として設けられる基板（実装基板）と、本実施形態における線状の端子として設けられる冷陰極蛍光管等の蛍光管の端子と、を接続するためのコネクタとして構成されている。そして、このコネクタ１は、コンタクト１１とハウジング１２とを備えて構成されている。
【００５１】
図２は、コンタクト１１について斜め上方から見た状態を示す斜視図（図２（ａ））及び斜め下方から見た状態を示す斜視図（図２（ｂ））である。また、図３は、ハウジング１２について斜め上方から見た状態を示す斜視図（図３（ａ））及び斜め下方から見た状態を示す斜視図（図３（ｂ））である。また、図４は、図１に示すコネクタ１の平面図（図４（ａ））、正面図（図４（ｂ））、及び側面図（図４（ｃ））である。また、図５は、図４（ａ）のＡ−Ａ線矢視位置での断面図（図５（ａ））、図４（ｃ）のＢ−Ｂ線矢視位置での断面図（図５（ｂ））、及び図４（ｃ）のＣ−Ｃ線矢視位置での断面図（図５（ｃ））である。また、図６は、図４（ｃ）のＤ−Ｄ線矢視位置での断面図である。
【００５２】
図１乃至図６に示すように、コネクタ１においては、コンタクト１１及びハウジング１２は、それぞれ１つずつ設けられている。そして、このコネクタ１は、コンタクト１１にハウジング１２が係止された状態（図１、図４乃至図６に示す状態）で基板１００（図４（ｂ）及び図５においてその一部を示す）に対して設置されてはんだ付けにより実装される。尚、この基板１００は、前述のように平板状の部材として設けられた実装基板として構成されており、例えば、図示しないフレーム部材やパネル部材等に対して固定され、市場で求められるアプリケーションとしての液晶表示装置のバックライトを構成する蛍光管に対してコネクタ１を介して接続されるプリント基板として設けられている。
【００５３】
図７は、図１に示す状態のコネクタ１について蛍光管１０１とともに示す平面図（図７（ａ））及び正面図（図７（ｂ））である。尚、図７は、コネクタ１が基板１００に対して設置された状態を示している（基板１００については、図７（ｂ）でのみ図示し、図７（ａ）では図示を省略している）。蛍光管１０１の端部から突出する端子１０１ａは、前述のように本実施形態における線状の端子を構成しており、図７に示すように、コネクタ１に対して配置される。コネクタ１においては、ハウジング１２が取り付けられた状態のコンタクト１１が基板１００に対して設置される。
【００５４】
図１、図２、図４乃至図７に示すように、コンタクト１１は、実装部１３、一対の端子接触部１４、一対の延長部１５、側壁（１６、１６）、複数の第１突出片部（１７、１７）、複数の第２突出片部（１８、１８）、設置面側脱落防止片部１９、設置面側開放部２０、等が設けられ、導電性の金属材料によって一体に形成されている。実装部１３は、一対の脚状の部分として形成されて、基板１００においてコンタクト１１が設置される設置面１００ａ（図４、図５、図７参照）に印刷や塗布等されたはんだの上に載置されてこの設置面１００ａにおいて実装される部分として設けられている。
【００５５】
一対の端子接触部１４は、蛍光管１０１の端子１０１ａの側方に対して両側から接触する端子接触部１４ａと端子接触部１４ｂとを備えて構成されている。そして、一対の端子接触部１４における各端子接触部（１４ａ、１４ｂ）は、コンタクト１１においてそれぞれ片持ち状に延びる矩形の板状の部分として設けられ、コンタクト１１が設置面１００ａに設置された際にはそれぞれ設置面１００ａに対して平行に延びるように配置される。
【００５６】
一対の延長部１５は、一対の端子接触部１４（１４ａ、１４ｂ）のそれぞれに連続する部分からコンタクト１１の各側壁１６の一部を構成する部分にまで亘って延長されるように形成された延長部１５ａ及び延長部１５ｂを備えて構成されている。また、一対の延長部１５は、一対の端子接触部１４とともに撓み可能に形成されている。即ち、端子接触部１４ａから一方の側壁１６の一部にまで亘って延びる延長部１５ａは端子接触部１４ａととともにその一方の側壁１６に対して撓み可能に設けられている。また、端子接触部１４ｂから他方の側壁１６の一部にまで亘って延びる延長部１５ｂは端子接触部１４ｂととともにその他方の側壁１６に対して撓み可能に設けられている。そして、一対の延長部１５における延長部１５ａ及び延長部１５ｂのそれぞれは、複数回屈曲して延びるように形成されている。尚、本実施形態では、それぞれ半円弧状に２回屈強して延びる延長部１５ａ及び延長部１５ｂを例示している。
【００５７】
側壁（１６、１６）は、一対で設けられ、設置面１００ａに対して垂直に延びるように配置されるとともに、一対の端子接触部１４が並ぶ方向において並んだ状態で互いに平行に配置されている。一方の側壁１６は延長部１５ａと一方の実装部１３とを一体に連結するように設けられ、他方の側壁１６は延長部１５ｂと他方の実装部１３とを一体に連結するように設けられている。そして、両側壁（１６、１６）は、この両側壁（１６、１６）に対して略垂直に配置される背面壁２１によって一体に連結されている。
【００５８】
複数の第１突出片部（１７、１７）は、一対の端子接触部１４のそれぞれから設置面１００ａ側と反対側に向かって（即ち、実装部１３と反対側に向かって）突出するように形成された部分として設けられている。尚、本実施形態では、端子接触部１４ａ及び端子接触部１４ｂのそれぞれから第１突出片部１７が１つずつ突出して形成された形態を例示している。
【００５９】
複数の第１突出片部（１７、１７）は、コンタクト１１に対してハウジング１２が取り付けられる際に、ハウジング１２に設けられた後述の開閉部２２がその間に挿入されることで開かれるように構成されている。即ち、ハウジング１２がコンタクト１１に対して取り付けられる際には、一対の端子接触部１４のうちの一方の端子接触部１４ａから突出する第１突出片部１７と他方の端子接触部１４ｂから突出する第１突出片部１７との間に上記開閉部２２が受け入れられるように挿入される。これにより、開閉部２２の移動に伴って、開閉部２２が摺接することで付勢される各第１突出片部１７とともに端子接触部１４ａ及び端子接触部１４ｂが外側に向かって開くように撓むことになる。尚、複数の第１突出片部（１７、１７）には、開閉部２２が挿入される挿入方向と反対の方向において外側に向かって広がるように傾斜した傾斜部分がそれぞれ設けられている。
【００６０】
複数の第２突出片部（１８、１８）は、一対の端子接触部１４のそれぞれから設置面１００ａ側と反対側に向かって突出するように形成された部分として設けられている。複数の第２突出片部（１８、１８）は、一対の端子接触部１４の根元側（一対の延長部１５に連続する側）に配置された複数の第１突出片部（１７、１７）に対し、一対の端子接触部１４の先端側に配置されている。これにより、複数の第１突出片部（１７、１７）に開閉部２２が摺接する際に、開閉部２２に対して複数の第２突出片部（１８、１８）が干渉しないように構成されている。
【００６１】
複数の第２突出片部（１８、１８）のそれぞれには、一対の端子接触部１４が並ぶ方向と平行な方向におけるコンタクト１１の内側に向かって出っ張るように屈曲形成された出っ張り部分１８ａがそれぞれ設けられている。この出っ張り部分１８ａのそれぞれは、ハウジング１２による後述の相対移動が行われて一対の端子接触部１４に保持された蛍光管１０１の端子１０１ａが設置面１００ａ側と反対の方向へ移動することを規制するように構成されている。
【００６２】
尚、本実施形態では、第２突出片部１８が、一対の端子接触部１４の長手方向においてずれた位置にて端子接触部１４ａ及び端子接触部１４ｂのそれぞれから１つずつ突出して形成された形態を例示しているが、この通りでなくてもよい。例えば、第２突出片部１８が、一対の端子接触部１４の長手方向においてずれた位置にて端子接触部１４ａ及び端子接触部１４ｂのそれぞれから１つ又は複数交互に突出して形成された形態であってもよい。
【００６３】
設置面側脱落防止片部１９は、端子接触部１４ａにおける設置面１００ａに対向する側の縁部分から設置面１００ａと略平行な方向に向かって突出するように形成された部分として設けられている。この設置面側脱落防止片部１９は、一対の端子接触部１４に保持された蛍光管１０１の端子１０１ａが外力等の影響で設置面１００ａ側に向かって移動した際にこの端子１０１ａと当接することで、端子１０１ａが一対の端子接触部１４から脱落することを防止するように構成されている。
【００６４】
設置面側開放部２０は、一対の端子接触部１４のそれぞれから設置面１００ａ側に向かって突出するように形成された部分として設けられている。この設置面側開放部（２０、２０）は、一対で設けられ、端子接触部１４ａ及び端子接触部１４ｂのそれぞれから突出するように形成されている。そして、各設置面側開放部２０は、先端側において外側に向かって広がるように形成されている。このため、ハウジング１２がコンタクト１１に対して後述の相対移動を行って一対の端子接触部１４間に蛍光管１０１の端子１０１ａが保持された後に上記相対移動を行う前の状態にハウジング１２を戻す作業の必要が生じた際（即ち、上記相対移動を行う前の状態と同じようにハウジング１２がコンタクト１１に係止された状態にハウジング１２を戻す作業の必要が生じた際）には、その戻す作業に伴って、設置面側開放部２０がハウジング１２の開閉部２２に摺接して一対の端子接触部１４を開放可能に構成されている。これにより、ハウジング１２を上記のように相対移動を行う前の状態に戻す際には、設置面側開放部２０とともに一対の端子接触部１４が開き、その間を開閉部２２が通過し、ハウジング１２を上記相対移動の方向と反対の方向へ移動させて相対移動を行う前の状態に戻すことが可能となる。
【００６５】
図１、図３乃至図７に示すように、ハウジング１２は、コンタクト１１が内側に配置されるケース状に外形が形成されるとともに、絶縁性の樹脂材料によって一体に形成されている。このハウジング１２には、蛍光管１０１の端子１０１ａが挿入されるスリット状の開口２５ａが形成された上面部２５が設けられている。この上面部２５は、平坦な面として形成され、実装機によって自動実装が行われるときにコネクタ１が吸着されて搬送される際の吸着面を構成している。また、ハウジング１２における上面部２５と反対側には、コンタクト１１に対して被さるように取り付けられる際にコンタクト１１が挿入されることになる大きな開口２６が形成されている。
【００６６】
また、ハウジング１２は、コンタクト１１の側方を覆うとともにこのコンタクト１１の両側壁（１６、１６）のそれぞれに対して外側で摺接可能に配置される。そして、このハウジング１２は、コンタクト１１に対してこのコンタクト１１の側壁（１６、１６）に摺接しながら直線方向に沿って相対移動を行うことで、一対の端子接触部１４を蛍光管１０１の端子１０１ａに接触させて保持するように構成されている。このとき、ハウジング１２は、設置面１００ａに対して垂直な方向に沿って移動することで、コンタクト１１に対して直線方向に沿って相対移動するように構成されている（第１実施形態についての以下の説明においては、一対の端子接触部１４に端子１０１ａを保持させるためのハウジング１２による上記の相対移動のことを単に「相対移動」という）。一方、相対移動を行う前の状態においては、ハウジング１２は、コンタクト１１を弾性変形させて一対の端子接触部１４を開かせた状態でコンタクト１１の側壁（１６、１６）に対して係止されるように構成されている。以下、これらの構成について詳しく説明する。
【００６７】
まず、図１、図４乃至図７に示すようにコンタクト１１に対してハウジング１２を係止させるための構成について説明する。図８は、図５（ｃ）の一部を拡大して示す拡大断面図である。図２、図５及び図８に示すように、ハウジング１２及びコンタクト１１のそれぞれには、ハウジング１２の相対移動が行われる前の状態においてハウジング１２をコンタクト１１に対して係止させるように互いに係止し合う係止部（２７、２８）が凸状に形成された部分として設けられている。
【００６８】
上記の係止部（２７、２８）として、図２、図５（ｃ）及び図８によく示すように、コンタクト１１には、一対の第１凸部２７が形成されている。この一対の第１凸部２７の間には、溝状の凹部２７ｃが形成される。一対の第１凸部２７は、両側壁（１６、１６）の一部としてそれぞれ設けられ、第１凸部２７ａ及び第１凸部２７ｂをそれぞれ備えて構成されている。第１凸部２７ａは、実装部１３に対向する側が段状に突出して形成され、実装部１３とは反対側に傾斜面が形成された凸部として設けられている。第１凸部２７ｂは、第１凸部２７ａに対して実装部１３側に配置され、実装部１３に対向する側が段状に突出して形成されるとともに実装部１３とは反対側に傾斜面が形成された凸部として設けられている。
【００６９】
また、ハウジング１２側における係止部（２７、２８）として、図５（ｃ）及び図８によく示すように、凹部２７ｃに対して嵌り込む第２凸部２８が、ハウジング１２における壁部の内側に形成されている。第２凸部２８は、実装部１３に対向する側に傾斜面が形成され、実装部１３とは反対側が段状に突出して形成された段部として設けられている。第１凸部２７及び第２凸部２８が上述のように設けられていることで、ハウジング１２がコンタクト１１に取り付けられる際には、第２凸部２８が第１凸部２７ａを乗り越えて凹部２７ｃに嵌り易く、ハウジング１２がコンタクト１１に対して設置面１００ａ側に相対移動する際には、第２凸部２８が第１凸部２７ｂを乗り越え易いように構成されている。尚、係止部（２７、２８）の形状や配置については、上述した例に限らず種々変更して実施してもよい。例えば、一対の第１凸部２７がハウジング１２の壁部の内側に設けられ、第２凸部２８がコンタクト１１の側壁１６に設けられていてもよい。
【００７０】
次に、ハウジング１２に設けられる開閉部２２、接触位置調整部（２３、２３）、内側係合部（２４、２４）の構成について説明する。ここで、図９は、図１に示す状態からハウジング１２がコンタクト１１に対して相対移動した状態を示すコネクタ１の斜視図である。また、図１０は、図９に示すコネクタ１の平面図（図１０（ａ））、正面図（図１０（ｂ））、及び側面図（図１０（ｃ））である。また、図１１は、図１０（ａ）のＥ−Ｅ線矢視位置での断面図（図１１（ａ））、図１０（ｃ）のＦ−Ｆ線矢視位置での断面図（図１１（ｂ））、及び図１０（ｃ）のＧ−Ｇ線矢視位置での断面図（図１１（ｃ））である。また、図１２は、図１０（ｃ）のＨ−Ｈ線矢視位置での断面図である。尚、図９乃至図１１では、コネクタ１の構造をより明瞭に図示する観点から、保持されている蛍光管１０１及びその端子１０１ａの図示を省略している（図１２では端子１０１ａのみを二点鎖線で図示している）。また、図１３は、図９に示す状態のコネクタ１について蛍光管１０１とともに示す平面図（図１３（ａ））及び正面図（図１３（ｂ））である。また、図１４は、図１３（ｂ）の一部を切欠き状態で拡大して示す拡大図である。
【００７１】
図３乃至図８、図１０乃至図１４に示すように、開閉部２２は、矩形断面のブロック状に形成され、このハウジング１２の壁部からハウジング１２の内側に突出した部分として設けられている。そして、開閉部２２は、設置面１００ａに対して平行に突出して延びるように配置され、ハウジング１２のコンタクト１１に対する相対移動とともに、一対の端子接触部１４の間で設置面１００ａに対して垂直な方向に移動する部分として設けられている。
【００７２】
ハウジング１２がコンタクト１１に取り付けられて係止される際には、ハウジング１２の開口２６の内側にコンタクト１１が配置される。このとき、前述のように、開閉部２２は、各第１突出片部１７の傾斜部分に摺接しながら、端子接触部１４ａ側の第１突出片部１７と端子接触部１４ｂ側の第１突出片部１７との間に挿入される。これにより、開閉部２２は、ハウジング１２がコンタクト１１に対して相対移動を行う前の状態において一対の端子接触部１４を開かせるようにコンタクト１１を弾性変形させることになる。また、ハウジング１２の相対移動が行われることで、開閉部２２は、一対の端子接触部１４の間を通過し、コンタクト１１を弾性回復させて一対の端子接触部１４を蛍光管１０１の端子１０１ａに向かって閉じる方向に変位させるように構成されている（図１３参照）。
【００７３】
コンタクト１１にハウジング１２が係止された状態の断面図である図５（ｂ）及び図６と、ハウジング１２が相対移動した状態の断面図である図１１（ｂ）及び図１２とによく示すように、ハウジング１２には、接触位置調整部（２３、２３）が設けられている。尚、図６及び図１２では、蛍光管１０１の端子１０１ａを二点鎖線で図示している。接触位置調整部（２３、２３）は、ハウジング１２の相対移動に伴って、コンタクト１１を外側から挟むように一対の延長部１５のそれぞれに対して接触する位置である延長部接触位置を調整可能な部分として一対で設けられている。図６では、ハウジング１２の相対移動前の状態でのハウジング１２及びコンタクト１１における延長部接触位置Ｐ１について、ハウジング１２がコンタクト１１を外側から挟むように一対の延長部１５のそれぞれに対して接触する端部位置を表す（この端部位置を通過する線として図示する）二点鎖線Ｐ１で示している。また、図１２では、ハウジング１２の相対移動後の状態でのハウジング１２及びコンタクト１１における延長部接触位置Ｐ２について、ハウジング１２がコンタクト１１を外側から挟むように一対の延長部１５のそれぞれに対して接触する端部位置を表す（この端部位置を通過する線として図示する）二点鎖線Ｐ２で示している。
【００７４】
接触位置調整部（２３、２３）は、ハウジング１２においてコンタクト１１の側壁１６に接触する壁部の一部として設けられ、ハウジング１２においてコンタクト１１の各側壁１６に対向するように平行に配置された各壁部の厚みが変化した部分を有するようにそれぞれ設けられている。そして、この接触位置調整部（２３、２３）のそれぞれは、ハウジング１２の上記の各壁部における内壁部分において、ハウジング１２の内側から外側に向かって凹むとともに設置面１００ａ側に向かって凹むように、段状に形成された部分を有するように設けられている。
【００７５】
各接触位置調整部２３は、一対の延長部１５のそれぞれにおける延長部接触位置（Ｐ１、Ｐ２）から一対の端子接触部１４のそれぞれにおける蛍光管１０１の端子１０１ａに接触する位置までのコンタクト１１に沿った経路（Ｌ１、Ｌ２）の長さ寸法を、ハウジング１２の相対移動に伴って、短くなるように調整するよう構成されている。即ち、一対の延長部１５のそれぞれにおける延長部接触位置Ｐ１から一対の端子接触部１４のそれぞれにおける端子１０１ａに接触する位置までのコンタクト１１に沿った経路Ｌ１（図６にて二点鎖線の両端矢印で示す経路Ｌ１）の長さ寸法は長く設定される。そして、ハウジング１２が相対移動すると、ハウジング１２の壁部の内壁部分における接触位置調整部２３の段状に凹むように形成されている部分が、側壁１６において第１凸部２７ｂとして設けられた部分に接触することになる。これにより、一対の延長部１５のそれぞれにおける延長部接触位置Ｐ２から一対の端子接触部１４のそれぞれにおける端子１０１ａに接触する位置までのコンタクト１１に沿った経路Ｌ２（図１２にて二点鎖線の両端矢印で示す経路Ｌ２）の長さ寸法が、上記の経路Ｌ１の長さ寸法よりも短くなるように設定されることになる。
【００７６】
図１３及び図１４によく示すように、ハウジング１２の壁部の内側には、内側係合部（２４、２４）が一対で設けられている。この内側係合部（２４、２４）は、ハウジング１２の相対移動が行われたときに、一対の端子接触部１４のそれぞれに対して係合する部分として設けられ、それぞれ、ハウジング１２の各壁部の内側において内側に向かって突出した部分として形成されている。
【００７７】
また、蛍光管１０１の端子１０１ａが一対の端子接触部１４に保持された状態の一部拡大図である図１４によく示すように、一対の端子接触部１４における互いに対向する対向面のそれぞれには、ガイド部（２９、２９）が設けられている。ガイド部（２９、２９）は、一対の端子接触部１４の間で蛍光管１０１の端子１０１ａを保持するコンタクト１１の弾性力の作用に伴ってこの端子１０１ａを一対の端子接触部１４に対して設置面１００ａに垂直な方向における所定の位置に向かって誘導するように設けられている。
【００７８】
尚、本実施形態で例示するガイド部（２９、２９）は、一対の端子接触部１４における対向面にそれぞれ形成されて設置面１００ａに垂直な方向に対して傾斜する勾配面を有して構成されている。そして、上記の傾斜面は、端子接触部１４ａ及び端子接触部１４ｂのそれぞれにて、対向面における設置面１００ａに垂直な方向での中心側に向かって端子１０１ａを誘導するように傾斜する一対の傾斜面として（対向面における設置面１００ａに垂直な方向での中心側に向かって且つ一対の端子接触部１４の内側から外側に向かって傾斜する一対の傾斜面として）形成されている。これにより、コンタクト１１の弾性力の作用に伴って端子１０１ａが一対の端子接触部１４に対して設置面１００ａに垂直な方向における中心側の所定の位置に向かって誘導されることになる。
【００７９】
また、図１１（ａ）によく示すように、コンタクト１１の背面壁２１には、突起部３０が設けられている。一方、ハウジング１２の内側における背面壁２１に対向する壁部には、ハウジング１２の相対移動が完了した状態で突起部３０に係合する段部３１が設けられている。この突起部３０と段部３１との係合により、コンタクト１１からハウジング１２が外れないように構成されている。尚、突起部３０は、背面壁２１の一部が片持ち状に切り欠かれるとともに外側に向かって且つ設置面１００ａ側に向かって突出した状態となるように折り曲げられたバネ状の部分として形成されている。このため、ハウジング１２が相対移動する際には突起部３０がコンタクト１１の内側に向かって撓んで段部３１の通過を許容し、ハウジング１２の相対移動完了後には突起部３０が段部３１と係合してハウジング１２が外れることが防止されるように構成されている。
【００８０】
尚、ハウジング１２には、段部３０に対向する位置において上面部２５に向かって開口する取外し用穴３２が形成されている。ハウジング１２の相対移動が完了した後にハウジング１２が相対移動を行う前の状態（ハウジング１２がコンタクト１１に係止された状態）に戻す際には、この取外し用穴３２から細長い工具を挿入して突起部３０を内側に撓ませることで、突起部３０と段部３１との係合を解除する作業が行われることになる。
【００８１】
次に、コネクタ１の作動について説明する。まず、ハウジング１２がコンタクト１１に取り付けられる際には、前述のように、開閉部２２が複数の第１突出片部（１７、１７）の間に挿入されるようにして、ハウジング１２が取り付けられる。そして、複数の第１突出片部（１７、１７）とともに一対の端子接触部１４が開かれてその間に開閉部２２が配置され、更に、一対の第１凸部２７の間の凹部２７ｃに第２凸部２８が嵌り込んだ状態で、ハウジング１２がコンタクト１１に対して係止されて取り付けられる（図１、図４乃至図６参照）。
【００８２】
ハウジング１２がコンタクト１１に係止された状態のコネクタ１は、図示しない実装機において、ハウジング１２の上面部２５が吸着されて基板１００まで搬送される。そして、上面部２５における吸着動作が解除されることで、コネクタ１は、その実装部１３において、基板１００の設置面１００ａ上の所定位置に設置される。コネクタ１が設置された基板１００が炉を通過することで、コネクタ１が、実装部１３にて設置面１００ａ上にはんだ付けされて固定され、実装される。尚、基板１００は液晶表示装置のバックライトとしての蛍光管１０１が装着される基板として設けられており、コネクタ１は、基板１００の縁部に沿って複数並んで実装される。
【００８３】
次いで、複数のコネクタ１が実装された基板１００に対して複数の蛍光管１０１が装着される。各蛍光管１０１は、基板１００に配置された各コネクタ１に対してその端子１０１ａにて接続されることになり、まず、蛍光管１０１の端子１０１ａがコネクタ１に対して配置される。このとき、蛍光管１０１及びその端子１０１ａに対してほとんど外力が作用することなく、端子１０１ａが一対の端子接触部１４の間に挿入されて配置される。即ち、コネクタ１は、ＺＩＦ（Zero Insertion Force）コネクタとして構成されている。尚、蛍光管１０１は、例えば、基板１００が固定されるフレーム部材やパネル部材上において、コネクタ１以外によっても支持される。また、蛍光管１０１におけるコネクタ１に接続される側と反対側の端部から突出した端子は、図示しない他のコネクタに対して接続される。
【００８４】
図７に示すように、コネクタ１における一対の端子接触部１４間に蛍光管１０１の端子１０１ａが配置されると、次いで、ハウジング１２のコンタクト１１に対する相対移動が行われる。この相対移動が行われる際には、ハウジング１２は、設置面１００ａに向かって垂直に付勢される。これにより、ハウジング１２の第２凸部２８がコンタクト１１の第１凸部２７ｂを乗り越え、ハウジング１２がコンタクト１１の側壁１６に摺接しながらコンタクト１１に対して相対移動することになる。そして、ハウジング１２とともに移動する開閉部２２が、一対の端子接触部１４の間から設置面１００ａ側に向かって垂直に移動し、この一対の端子接触部１４の間を通過して抜け出ることでコンタクト１１が弾性回復して閉じる方向に変位する。これにより、蛍光管１０１の端子１０１ａが一対の端子接触部１４に接触するとともに保持され、端子１０１ａとコネクタ１とが電気的に接続されることになる。そして、端子１０１ａは、ハウジング１２の保持力と一対の端子接触部１４の弾性力による保持力とによって強固に保持されることになる。
【００８５】
ハウジング１２のコンタクト１１に対する相対移動が完了して端子１０１ａとコネクタ１との接続が完成した状態では、ハウジング１２の段部３１がコンタクト１１の突起部３０に係合し、ハウジング１２がコンタクト１１から外れてしまうことが防止されている。また、接続が完成した状態では、蛍光管１０１の端子１０１ａは、前述したガイド部（２９、２９）の作用によって、設置面１００ａに垂直な方向における所定の位置に安定して保持されている。また、接続が完成した状態では、一対の端子接触部１４のそれぞれがハウジング１２の内側係合部（２４、２４）に係合しており、更に、端子１０１ａは、複数の第２突出片部（１８、１８）に設けられた出っ張り部分１８ａによって設置面１００ａ側と反対側への脱落が防止されている。
【００８６】
以上説明したコネクタ１によると、一体に形成されたコンタクト１１及びハウジング１２が１つずつ設けられることでコネクタ１が構成されるため、コネクタ１の構成部品点数を最小化することができる。そして、コンタクト１１における一対の端子接触部１４が基板１００の設置面１００ａに対して平行に配置されるため、市場でのアプリケーションの薄型化の要求（例えば、液晶表示装置の薄型化の要求）に対応可能なようにコネクタ構造の薄型化を図ることができる。
【００８７】
また、コネクタ１では、ハウジング１２が、コンタクト１１の両側壁（１６、１６）に外側で摺接可能に配置される。このため、コネクタ１は、特許文献２に開示されたコネクタとは異なり、ハウジングの内側に配置される一対の端子接触部を有するコンタクトに一体に形成されてハウジングの更に外側に配置される大きなガイド板が設けられたような構造となることがない。これにより、コネクタ１によると、薄型のコネクタ構造において、構造の更なる小型化及び簡素化を図ることができる。また、コネクタ１では、ハウジング１２がコンタクト１１に摺接しながら直線方向に相対移動することで蛍光管１０１の端子１０１ａに端子接触部（１４ａ、１４ｂ）を接触させて蛍光管１０１の端子１０１ａへの電気的な接続が完成することになるため、蛍光管１０１の端子１０１ａに対する接続工程の簡素化を図ることができる。
【００８８】
更に、コネクタ１では、ハウジング１２は、コンタクト１１に対して相対移動する前の状態において一対の端子接触部１４を開かせた状態でコンタクト１１の側壁（１６、１６）に対して係止される。このため、蛍光管１０１の端子１０１ａと電気的に接続される前の状態において、開かせた一対の端子接触部１４の間に端子１０１ａを容易に外力をほとんど作用させることなく配置することができる。そして、端子１０１ａへの電気的な接続が完成する前に、一旦、ハウジング１２がコンタクト１１の側壁（１６、１６）に係止される状態を実現することができるため、その後、ハウジング１２をコンタクト１１に対して相対移動させるだけで、容易に効率よく接続作業を行うことができる。更に、ハウジング１２でコンタクト１１を弾性変形させて一対の端子接触部１４を開かせた状態で端子１０１ａが配置されるため、その後にハウジング１２が相対移動して電気的な接続が完成した状態では、ハウジング１２での保持力に加えて、コンタクト１１の弾性力による保持力も確保されることになる。これにより、蛍光管１０１の端子１０１ａをより強固に保持することができる。
【００８９】
従って、本実施形態によると、構成部品点数を最小化できるとともに線状の端子１０１ａに対する接続工程を簡素化でき、線状の端子１０１ａに外力をほとんど作用させずに配置した後に容易に効率よく接続作業を行えるとともに線状の端子１０１ａを強固に保持することができ、更に、市場でのアプリケーションの薄型化の要求に対応可能な薄型のコネクタ構造において構造の更なる小型化及び簡素化を図ることができるコネクタ１を提供することができる。
【００９０】
また、コネクタ１によると、一対の端子接触部１４が基板１００の設置面１００ａに対して平行に延びるように設けられることで薄型化が図られたコネクタにおいて、ハウジング１２が設置面１０１ａと垂直に相対移動を行なうことで一対の端子接触部１４を蛍光管１０１の端子１０１ａに接触させて電気的接続を完成するように構成される。このため、ハウジング１２の相対移動方向が設置面１００ａに沿って広がるように延びるコネクタ構造となることがなく、一対の端子接触部１４の配置に対してハウジング１２の相対移動方向をスペース効率よくコンパクトに設定することができる。これにより、コネクタ構造の更なる小型化を図ることができる。
【００９１】
また、コネクタ１によると、ハウジング１２の相対移動前の状態では、延長部接触位置Ｐ１から蛍光管１０１の端子１０１ａに接触する位置までのコンタクト１１に沿った経路Ｌ１の長さ寸法が長く確保される。よって、ハウジング１２の相対移動前で一対の端子接触部１４の間に蛍光管１０１の端子１０１ａが配置される状態においては、一対の延長部１５が撓み易い状態となるため、端子１０１ａを配置し易いように一対の端子接触部１４を容易に開かせることができる。一方、ハウジング１２の相対移動後の状態では、接触位置調整部（２３、２３）の作動により、経路Ｌ２の長さ寸法が短く調整されることになる。このため、ハウジング１２の相対移動後で一対の端子接触部１４の間に蛍光管１０１の端子１０１ａが保持される状態においては、一対の延長部１５が撓み難い状態となるため、端子１０１ａをより強固に保持することができる。従って、端子１０１ａを配置する際には一対の端子接触部１４の間を容易に開かせるとともに、端子１０１ａを保持する際にはより強固な保持力を確保することができるように、ハウジング１２の相対移動に伴って調整可能なコネクタ構造を実現することができる。
【００９２】
また、コネクタ１によると、延長部接触位置（Ｐ１、Ｐ２）から蛍光管１０１の端子１０１ａに接触する位置までのコンタクトに沿った経路（Ｌ１、Ｌ２）の長さ寸法をハウジング１２の相対移動に伴って調整する接触位置調整部（２３、２３）について、ハウジング１２の壁部の一部を有効的に活用して構成することができる。よって、接触位置調整部（２３、２３）をスペース効率よくコンパクトな構造で実現することができる。また、コネクタ１によると、ハウジング１２の壁部に段状の部分を設けることで、より簡素な構造で接触位置調整部（２３、２３）を実現することができる。
【００９３】
また、コネクタ１によると、一対の端子接触部１４とともに撓み可能でコンタクト１１の側壁（１６、１６）まで延びる一対の延長部１５が、複数回屈曲して延びるように形成される。このため、コンタクト１１が長大化してしまうことを抑制して小型化を図りつつ、一対の延長部１５におけるコンタクト１１に沿った経路の長さ寸法を長く確保できる。これにより、一対の端子接触部１４を容易に開かせて蛍光管１０１の端子１０１ａを配置し易いように一対の延長部１５を撓み易く構成できるとともに、コネクタ１の小型化も図ることができるコネクタ構造を実現することができる。
【００９４】
また、コネクタ１によると、ハウジング１２がコンタクト１１の側壁（１６、１６）に係止されて相対移動を行う前の状態においては、ハウジング１２に設けられた開閉部２２によって、一対の端子接触部１４が弾性変形して強制的に開かれた状態となる。一方、ハウジング１２の相対移動が行われると、ハウジング１２に設けられた開閉部２２も移動し、一対の端子接触部１４が弾性回復して閉じることで蛍光管１０１の端子１０１ａが保持されることになる。このため、ハウジング１２の相対移動前後における一対の端子接触部１４に対する開閉部２２の位置の変化を有効的に活用して、ハウジング１２の相対移動前後でハウジング１２の動作に連動して一対の端子接触部１４を自動的に開閉させる機構を構成することができる。
【００９５】
また、コネクタ１によると、ハウジング１２の相対移動方向が設置面１００ａと垂直なため、設置面１００ａと平行に延びる一対の端子接触部１４の配置に対してハウジング１２の相対移動方向がスペース効率よくコンパクトに設定され、コネクタ構造の更なる小型化が図られる。そして、開閉部２２が、一対の端子接触部１４間でハウジング１２とともに設置面１００ａに垂直に移動する突出部分として設けられる。このため、更なる小型化が図られたコネクタ構造において、設置面１００ａに垂直な方向でのハウジング１２の相対移動の前後でハウジング１２の動作に連動して設置面１００ａに平行な一対の端子接触部１４を自動的に開閉させる機構を突出部分として簡素な構造で形成することができる。
【００９６】
また、コネクタ１によると、一対の端子接触部１４には、開閉部２２が間に挿入される複数の第１突出片部（１７、１７）が設けられ、これらの第１突出片部（１７、１７）には、開閉部２２の挿入方向と反対側で外側に広がる傾斜部分が設けられている。このため、ハウジング１２がコンタクト１１に対して取り付けられて係止する際には、挿入される開閉部２２が上記の傾斜部分に対して滑らかに摺動し、複数の第１突出片部（１７、１７）が外側に向かって開かれ、一対の端子接触部１４も容易に開かれることになる。よって、ハウジング１２をコンタクト１１に係止させる際に、一対の端子接触部１４を更に容易に開かせることができる。
【００９７】
また、コネクタ１によると、一対の端子接触部１４には、コンタクト１１の内側に向かって出っ張る出っ張り部分１８ａがそれぞれ形成された複数の第２突出片部（１８、１８）が設けられている。そして、ハウジング１２の相対移動が行われて一対の端子接触部１４に蛍光管１０１の端子１０１ａが保持された際には、上記の出っ張り部分１８ａによって、設置面１００ａ側と反対側への端子１０１ａの移動が規制される。このため、一対の端子接触部１４に出っ張り部分１８ａを有する第２突出片部（１８、１８）を設けるという簡素な構成によって、一対の端子接触部１４の間で保持された端子１０１ａの脱落を効率よく防止することができる。
【００９８】
また、コネクタ１によると、ハウジング１２の壁部内側には、ハウジング１２の相対移動後の状態で一対の端子接触部１４のそれぞれに係合する内側係合部（２４、２４）が設けられている。このため、一対の端子接触部１４の間で蛍光管１０１の端子１０１ａが保持された状態では、内側係合部（２４、２４）が一対の端子接触部１４の両側から係合することで一対の端子接触部１４が開いてしまうことが規制されることになる。これにより、一対の端子接触部１４が開くことが防止されて、一対の端子接触部１４の間で蛍光管１０１の端子１０１ａをより強固に保持することができ、端子１０１ａの脱落を効率よく防止することができる。
【００９９】
また、コネクタ１によると、一対の端子接触部１４における対向面に、コンタクト１１の弾性力の作用で蛍光管１０１の端子１０１ａを所定の位置に誘導するガイド部（２９、２９）が設けられている。このため、一対の端子接触部１４が端子１０１ａを保持した状態では、端子１０１ａを設置面１００ａに垂直な方向における所定の位置において安定して保持することができる。
【０１００】
また、コネクタ１によると、ガイド部（２９、２９）が一対の端子接触部１４の対向面における勾配面を有する部分として設けられる。このため、一対の端子接触部１４に保持された蛍光管１０１の端子１０１ａを設置面１００ａに垂直な方向における所定の位置に安定して保持することができるガイド部（２９、２９）を勾配面の傾斜を利用した簡素な構成で実現することができる。
【０１０１】
また、コネクタ１によると、係止部（２７、２８）が、コンタクト１１及びハウジング１２において凸状に形成されて互いに係止し合う部分として設けられる。このため、ハウジング１２の相対移動前の状態でハウジング１２をコンタクト１１に係止させる係止部（２７、２８）について、コンタクト１１及びハウジング１２における近接して配置された部分を利用した構成でスペース効率よく形成することができる。また、コネクタ１によると、コンタクト１１に一対の第１凸部２７が形成されるとともにハウジング１２に第２凸部２８が形成された簡素な構成で容易に係止部（２７、２８）を形成することができる。
【０１０２】
（第２実施形態）
次に、本発明の第２実施形態について説明する。図１５は、本発明の第２実施形態に係るコネクタ２を示す正面図（図１５（ａ））、側面図（図１５（ｃ））、その側面図に対する平面図（図１５（ｂ））及び底面図（図１５（ｄ））である。本実施形態において例示するコネクタ２は、本実施形態における平板状の部材として設けられるＧＮＤバー（グラウンドバー）と、本実施形態における線状の端子として設けられる冷陰極蛍光管等の蛍光管の端子と、を接続するためのコネクタとして構成されている。そして、このコネクタ２は、コンタクト４１とハウジング４２とを備えて構成されている。
【０１０３】
図１６は、コンタクト４１について斜め上方から見た状態を示す斜視図（図１６（ａ））及び斜め下方から見た状態を示す斜視図（図１６（ｂ））である。また、図１７は、ハウジング４２について斜め上方から見た状態を示す斜視図（図１７（ａ））及び図１７（ａ）とは異なる位置で斜め上方から見た状態を示す斜視図（図１７（ｂ））である。また、図１８は、ハウジング４２について斜め下方から見た状態を示す斜視図（図１８（ａ））及び図１８（ａ）とは異なる位置で斜め下方から見た状態を示す斜視図（図１８（ｂ））である。また、図１９は、図１５（ａ）のＩ−Ｉ線矢視位置での断面図である。また、図２０は、図１５（ａ）のＪ−Ｊ線矢視位置での断面図（図２０（ａ））、図１５（ａ）のＫ−Ｋ線矢視位置での断面図（図２０（ｂ））、及び図１５（ｄ）のＭ−Ｍ線矢視位置での断面図（図２０（ｃ））である。また、図２１は、図１５に示す状態のコネクタ２がＧＮＤバー１０２に対して設置された状態を示す正面図（図２１（ａ））、側面図（図２１（ｃ））、その側面図に対する平面図（図２１（ｂ））及び底面図（図２１（ｄ））、背面図（図２１（ｅ））である。また、図２２は、図２１（ａ）のＮ−Ｎ線矢視位置での断面図（図２２（ａ））及びその一部を拡大して示す拡大断面図（図２２（ｂ））である。
【０１０４】
図１５乃至図２２に示すように、コネクタ２においては、コンタクト４１及びハウジング４２は、それぞれ１つずつ設けられている。そして、このコネクタ２は、コンタクト４１にハウジング４２が係止された状態（図１５、図１９乃至図２２に示す状態）でＧＮＤバー１０２（図２１及び図２２においてその一部を示す）に対して設置される。尚、図１９では、ＧＮＤバー１０２及び蛍光管１０３を二点鎖線で図示している。
【０１０５】
ＧＮＤバー１０２は、前述のように平板状の部材として設けられており、図示しないフレーム部材やパネル部材等に対して固定され、例えば、液晶表示装置のバックライトを構成する蛍光管１０３に対してコネクタ２を介して接続される接地側（グラウンド側）の導体を構成する金属製のバー部材として設けられている。また、蛍光管１０３の端部から突出する端子１０３ａは、前述のように本実施形態における線状の端子を構成しており、図１９に示すように、コネクタ２に対して配置される。コネクタ２においては、ハウジング４２が取り付けられた状態のコンタクト４１がＧＮＤバー１０２に対して設置される。尚、本実施形態では、コネクタ２が接地側のＧＮＤバー１０２に対して設置される場合を例にとって説明するが、この例に限らず、コネクタ２を適用することができる。例えば、フレーム部材やパネル部材等に対して接地側ではなく高圧側で固定される平板状の部材として設けられたバー部材であってこの高圧側の導体を構成する金属製のバー部材（金属バー）に対して、コネクタ２が設置されてもよい。
【０１０６】
図１５、図１６、図１９乃至図２２に示すように、コンタクト４１は、設置部４３、一対の端子接触部４４、一対の延長部４５、側壁（４６、４６）、複数の突出片部（４８、４８）、等が設けられ、導電性の金属材料によって一体に形成されている。
【０１０７】
設置部４３には、取付部４３ａ及び接点部４３ｂが設けられている。取付部４３ａは、平板状に形成されるとともに一対の突出片部分が形成され、ＧＮＤバー１０２においてコンタクト４１が設置される設置面１０２ａ（図２１、図２２参照）に対して係合して取り付けられる部分として設けられている。接点部４３ｂは、取付部４３ａから屈曲部分を介して突出するように形成されるとともに、取付部４３ａに対して平行に延びる一対の突出片部分として形成されている。そして、この接点部４３ｂは、ＧＮＤバー１０２に対して設置面１０２ａと反対側において接触するように形成され、ＧＮＤバー１０２に対して電気的に接続される接点を構成する部分として設けられている。
【０１０８】
コンタクト４１は、設置部４３において、ＧＮＤバー１０２にて切り欠かれた部分として形成された切欠部１０２ｂに挿入されるようにして、ＧＮＤバー１０２に取り付けられる（図２１参照）。尚、取付部４３ａには、一対のストッパー部分４３ｃが形成されている。コンタクト４１にハウジング４２が取り付けられた状態のコネクタ２がＧＮＤバー１０２に取り付けられる際には、一対のストッパー部分４３ｃがＧＮＤバー１０２の縁部分に当接することで、コネクタ２がＧＮＤバー１０２の切欠部１０２ｂに深く挿入され過ぎた状態で（過挿入の状態で）取り付けられてしまうことが防止されるように構成されている。
【０１０９】
また、取付部４３ａにおける一対の突出片部分には、段状の突起部分として形成され、コンタクト４１に対して取り付けられたハウジング４２に対して係合可能な一対のハウジング側係合部分（４３ｄ、４３ｄ）が設けられている。この一対のハウジング側係合部分（４３ｄ、４３ｄ）とハウジング４２とが係合することで、コンタクト４１に対して一旦取り付けられたハウジング４２がコンタクト４１から外れてしまうことが防止されるように構成されている（図２０（ｂ）参照）。また、取付部４３ａには、コンタクト４１がＧＮＤバー１０２に対して取り付けられた際に、ＧＮＤバー１０２に形成された穴に嵌り込むことでこのＧＮＤバー１０２に対して係合する一対のＧＮＤ側係合部分（４３ｅ、４３ｅ）が設けられている（図１６、図２１参照）。一対のＧＮＤ側係合部分（４３ｅ、４３ｅ）は、段状の突起部分として形成されており、一旦弾性変形した後に弾性回復することでＧＮＤバー１０２に対して係合するように構成されている。この係合により、コンタクト１２がＧＮＤバー１０２に固定され、コンタクト１２のＧＮＤバー１０２からの脱落が防止される。
【０１１０】
一対の端子接触部４４は、蛍光管１０３の端子１０３ａの側方に対して両側から接触する端子接触部４４ａと端子接触部４４ｂとを備えて構成されている。そして、一対の端子接触部４４における各端子接触部（４４ａ、４４ｂ）は、コンタクト４１においてそれぞれ片持ち状に延びる矩形の板状の部分として設けられ、コンタクト４１が設置面１０２ａに設置された際にそれぞれ設置面１０２ａに対して平行に延びるように配置される。また、一対の端子接触部４４は、コンタクト４１に対してハウジング４２が取り付けられる際に、ハウジング４２に設けられた後述の開閉部５２がその間に挿入されることで開かれるように構成されている。尚、一対の端子接触部４４の間に開閉部５２が挿入され易いように、一対の端子接触部４４の先端側は、外側に向かって広がるように形成されている。また、一対の端子接触部４４における互いに対向する対向面のそれぞれには、第１実施形態のコネクタ１におけるガイド部（２９、２９）と同様に構成されるガイド部が設けられている。
【０１１１】
一対の延長部４５は、一対の端子接触部４４（４４ａ、４４ｂ）のそれぞれに連続する部分からコンタクト４１の各側壁４６の一部を構成する部分にまで亘って延長されるように形成された延長部４５ａ及び延長部４５ｂを備えて構成されている。また、一対の延長部４５は、一対の端子接触部４４とともに撓み可能に形成されている。即ち、端子接触部４４ａから一方の側壁４６の一部にまで亘って延びる延長部４５ａは端子接触部４４ａととともにその一方の側壁４６に対して撓み可能に設けられている。また、端子接触部４４ｂから他方の側壁４６の一部にまで亘って延びる延長部４５ｂは端子接触部４４ｂととともにその他方の側壁４６に対して撓み可能に設けられている。
【０１１２】
側壁（４６、４６）は、一対設けられ、設置面１０２ａに対して垂直に延びるように配置される背面壁４７に対して垂直に配置されるとともに、一対の端子接触部４４が並ぶ方向において並んだ状態で互いに平行に配置されている。両側壁（４６、４６）は、この両側壁（４６、４６）に対して垂直に配置される上記の背面壁４７によって一体に連結されている。そして、背面壁４７は、両側壁（４６、４６）と設置部４３における取付部４３ａとを連結するように設けられている。
【０１１３】
複数の突出片部（４８、４８）は、本実施形態における複数の第２突出片部として構成され、一対の端子接触部４４のそれぞれから設置面１０２ａ側と反対側に向かって突出するように形成された部分として設けられている。複数の突出片部（４８、４８）のそれぞれには、一対の端子接触部４４が並ぶ方向と平行な方向におけるコンタクト４１の内側に向かって出っ張るように屈曲形成された出っ張り部分４８ａがそれぞれ設けられている。この出っ張り部分４８ａのそれぞれは、ハウジング４２による後述の相対移動が行われて一対の端子接触部４４に保持された蛍光管１０３の端子１０３ａが設置面１０２ａ側と反対の方向へ移動することを規制するように構成されている。
【０１１４】
尚、本実施形態では、第２突出片部を構成する突出片部４８が、一対の端子接触部４４の長手方向においてずれた位置にて端子接触部４４ａ及び端子接触部４４ｂのそれぞれから１つずつ突出して形成された形態を例示しているが、この通りでなくてもよい。例えば、突出片部４８が、一対の端子接触部４４の長手方向においてずれた位置にて端子接触部４４ａ及び端子接触部４４ｂのそれぞれから１つ又は複数交互に突出して形成された形態であってもよい。
【０１１５】
図１５、図１７乃至図２２に示すように、ハウジング４２には、基部４９、ケース部５０、一対のスライド部５１、等が設けられ、絶縁性の樹脂材料によって一体に形成されている。基部４９は、ＧＮＤバー１０２の設置面１０２ａに対してコンタクト４１を介して配置される板状の部分として設けられている。
【０１１６】
ケース部５０は、コンタクト４１における一対の端子接触部４４が内側に配置されるケース状の部分として設けられている。このケース部５０には、基部４９に一体化されている側と反対側において、蛍光管１０３の端子１０３ａが挿入されるスリット状の開口５０ａが形成されている。また、ケース部５０には、ハウジング４２がコンタクト４１に取り付けられる際に、一対の端子接触部４４に対してその長手方向に沿って被さるように一対の端子接触部４４が挿入されることになる開口５０ｂが形成されている。
【０１１７】
一対のスライド部（５１、５１）は、基部４９と平行に延びるとともに互いに平行に配置された一対の略矩形の板状の部分として設けられ、基部４９に対してケース部５０と反対側で一体化されている。尚、ハウジング４２がコンタクト４１に取り付けられた状態では、一対のスライド部（５１、５１）は、一対の端子接触部４４と平行な方向に沿って延びるように配置される。この一対のスライド部（５１、５１）は、コネクタ２がＧＮＤバー１０２に取り付けられる際には、コンタクト４１の設置部４３とともにＧＮＤバー１０２の切欠部１０２ｂに挿入される。そして、設置部４３がＧＮＤバー１０２に係合した状態で、基部４９と一対のスライド部（５１、５１）との間にＧＮＤバー１０２における切欠部１０２ｂの縁部分が配置され、一対のスライド部（５１、５１）がこの切欠部１０２ｂの縁部分に対してスライド移動自在に支持されることになる。
【０１１８】
また、ハウジング４２は、ケース部５０において、コンタクト４１の側方を覆うとともにこのコンタクト４１の両側壁（４６、４６）のそれぞれに対して外側で摺接可能に配置される。そして、このハウジング４２は、コンタクト４１に対してこのコンタクト４１の側壁（４６、４６）に摺接しながら直線方向に沿って相対移動を行うことで、一対の端子接触部４４を蛍光管１０３の端子１０３ａに接触させて保持するように構成されている。このとき、ハウジング４２は、設置面１０２ａに対して平行な方向であって且つＧＮＤバー１０２の長手方向と垂直な方向に平行な方向に沿って移動することで、コンタクト１１に対して直線方向に沿って相対移動するように構成されている（第２実施形態についての以下の説明においては、一対の端子接触部４４に端子１０３ａを保持させるためのハウジング４２による上記の相対移動のことを単に「相対移動」という）。一方、相対移動を行う前の状態においては、ハウジング４２は、コンタクト４１を弾性変形させて一対の端子接触部４４を開かせた状態でコンタクト４１の側壁（４６、４６）に対して係止されるように構成されている。以下、これらの構成について詳しく説明する。
【０１１９】
まず、図１５、図１９乃至図２２に示すようにコンタクト４１に対してハウジング４２を係止させるための構成について説明する。図１６、図１８、図２０及び図２２に示すように、ハウジング４２及びコンタクト４１のそれぞれには、ハウジング４２の相対移動が行われる前の状態においてハウジング４２をコンタクト４１に対して係止させるように互いに係止し合う係止部（５４、５５）が凸状に形成された部分として設けられている。
【０１２０】
上記の係止部（５４、５５）として、図１６及び図２２によく示すように、コンタクト４１には、設置部４３における一対の端子接触部４４が並ぶ方向と平行な方向の両側に、一対のコンタクト側凸部（５４、５４）が形成されている。一対のコンタクト側凸部（５４、５４）は、設置部４３に対してハウジング４２の基部４９が対向する方向（即ち、一対の端子接触部４４が配置される側と同じ方向）に向かって段状に低く盛り上がった凸部として設けられている。
【０１２１】
また、ハウジング４２側における係止部（５４、５５）として、図１８及び図２２によく示すように、一対のコンタクト側凸部（５４、５４）に対してそれぞれ係止し合う一対のハウジング側凸部（５５、５５）が、ハウジング４２の基部４９に形成されている。一対のハウジング側凸部（５５、５５）は、基部４９においてコンタクト４１の設置部４３に対向する方向（即ち、一対のスライド部５１が配置される側と同じ方向）に向かって段状に突出した凸部として設けられている。そして、各ハウジング側凸部５５は、コンタクト４１の正面側（一対の端子接触部４４の先端側が配置される側）から背面側（背面壁４７が配置される側）に向かう方向において、各コンタクト側凸部５４に当接して係止することになる。尚、設置部４３にて低く盛り上がって形成されたコンタクト側凸部５４における角部分は、ハウジング４２の相対移動の際にハウジング側凸部５５が乗り越えやすいように、曲面状に又は面取り加工が施された状態に形成されている。
【０１２２】
コンタクト側凸部５４及びハウジング側凸部５５が上述のように構成されていることで、ハウジング４２がコンタクト４１に取り付けられる際には、ハウジング側凸部５５がコンタクト側凸部５４に係止することになる。そして、ハウジング４２がコンタクト４１に対して設置面１０２ａと平行に相対移動する際には、ハウジング側凸部５５がコンタクト側凸部５４を乗り越えることになる。尚、係止部（５４、５５）の形状や配置については、上述した例に限らず種々変更して実施してもよい。
【０１２３】
次に、ハウジング４２に設けられる開閉部５２及び接触位置調整部（５３、５３）の構成について説明する。ここで、図２３は、図１５に示す状態からハウジング４２がコンタクト４１に対して相対移動した状態のコネクタ２についてＧＮＤバー１０２及び蛍光管１０３の一部とともに示す正面図（図２３（ａ））、側面図（図２３（ｃ））、その側面図に対する平面図（図２３（ｂ））及び底面図（図２３（ｄ））、背面図（図２３（ｅ））である。また、図２４は、図２３（ａ）のＲ−Ｒ線矢視位置での断面図である。また、図２５は、図２３（ｂ）のＳ−Ｓ線矢視位置での断面図（図２５（ａ））及びその一部を切欠き状態で拡大して示す拡大断面図（図２５（ｂ））である。
【０１２４】
図１５、図１９乃至図２１、図２３及び図２４に示すように、開閉部５２は、ケース部５０の内側において基部４９に対して垂直な方向に向かってブロック状に突出する部分として設けられている。そして、開閉部５２は、ハウジング４２のコンタクト４１に対する相対移動とともに、一対の端子接触部４４の間で設置面１０２ａに対して平行な方向に移動する部分として設けられている。また、開閉部５２における基部４９と平行な方向における両端部分（５２ａ、５２ａ）は、それぞれ先端側に向かって細くなるように形成されるとともにその最も先端側の部分が円弧面状の曲面となるように形成されている（図１９、図２４参照）。これにより、開閉部５２が、一対の端子接触部４４を開きながらこの一対の端子接触部４４の間を通過し易いように構成されている。
【０１２５】
ハウジング４２がコンタクト４１に取り付けられて係止される際には、ハウジング４２の開口５０ｂの内側にコンタクト４１が配置される。このとき、開閉部５２は、一対の端子接触部４４の間に挿入される。これにより、開閉部５２は、ハウジング４２がコンタクト４１に対して相対移動を行う前の状態において一対の端子接触部４４を開かせるようにコンタクト４１を弾性変形させることになる。そして、ハウジング４２の相対移動の際には、ハウジング４２は、コンタクト４１に対して、一対の端子接触部４４が延びる方向と反対方向に向かって設置面１０２ａと平行に（図２４の矢印Ｑ方向に）相対移動する。このハウジング４２の相対移動が行われることで、開閉部５２は、一対の端子接触部４４の間を通過し、コンタクト４１を弾性回復させて一対の端子接触部４４を蛍光管１０３の端子１０３ａに向かって閉じる方向に変位させるように構成されている（図２４参照）。
【０１２６】
コンタクト４１にハウジング４２が係止された状態の断面図である図１９と、ハウジング４２が相対移動した状態の断面図である図２４とによく示すように、ハウジング４２には、接触位置調整部（５３、５３）が設けられている。接触位置調整部（５３、５３）は、ハウジング４２の相対移動に伴って、コンタクト４１を外側から挟むように一対の延長部４５のそれぞれに対して接触する位置である延長部接触位置を調整可能な部分として一対で設けられている。図１９では、ハウジング４２の相対移動前の状態でのハウジング４２及びコンタクト４１における延長部接触位置Ｐ３について、ハウジング４２がコンタクト４１を外側から挟むように一対の延長部４５のそれぞれに対して接触する端部位置を表す（この端部位置を通過する線として図示する）二点鎖線Ｐ３で示している。また、図２４では、ハウジング４２の相対移動後の状態でのハウジング４２及びコンタクト４１における延長部接触位置Ｐ４について、ハウジング４２がコンタクト４１を外側から挟むように一対の延長部４５のそれぞれに対して接触する端部位置を表す（この端部位置を通過する線として図示する）二点鎖線Ｐ４で示している。
【０１２７】
接触位置調整部（５３、５３）は、ハウジング４２のケース部５０においてコンタクト４１の側壁４６に接触する壁部の一部として設けられ、ハウジング４２においてコンタクト４１の各側壁４６及び各延長部（４５ａ、４５ｂ）に対向するように配置された各壁部の厚みが変化した部分を有するようにそれぞれ設けられている。そして、この接触位置調整部（５３、５３）のそれぞれは、ケース部５０の各壁部における内壁部分において、ケース部５０の内側に向かって且つ一対の端子接触部４４の先端側に向かって傾斜面を介して段状に盛り上がるように形成された部分として設けられている。
【０１２８】
各接触位置調整部５３は、一対の延長部４５のそれぞれにおける延長部接触位置（Ｐ３、Ｐ４）から一対の端子接触部４４のそれぞれにおける蛍光管１０３の端子１０３ａに接触する位置までのコンタクト４１に沿った経路（Ｌ３、Ｌ４）の長さ寸法を、ハウジング４２の相対移動に伴って、短くなるように調整するよう構成されている。即ち、一対の延長部４５のそれぞれにおける延長部接触位置Ｐ３から一対の端子接触部４４のそれぞれにおける端子１０３ａに接触する位置までのコンタクト４１に沿った経路Ｌ３（図１９にて二点鎖線の両端矢印で示す経路Ｌ３）の長さ寸法は長く設定される。そして、ハウジング４２が相対移動すると、ケース部５０の壁部の内壁部分における各接触位置調整部５３の段状に盛り上がるように形成されている部分が、各延長部（４５ａ、４５ｂ）に接触することになる。これにより、一対の延長部４５のそれぞれにおける延長部接触位置Ｐ４から一対の端子接触部４４のそれぞれにおける端子１０３ａに接触する位置までのコンタクト４１に沿った経路Ｌ４（図２４にて二点鎖線の両端矢印で示す経路Ｌ４）の長さ寸法が、上記の経路Ｌ３の長さ寸法よりも短くなるように設定されることになる。
【０１２９】
次に、コネクタ２の作動について説明する。まず、ハウジング４２がコンタクト４１に取り付けられる際には、前述のように、開口５０ｂからケース部５０の内側に一対の端子接触部４４が挿入されるとともに開閉部５２が一対の端子接触部４４の間に挿入されるようにして、ハウジング４２が取り付けられる。そして、一対の端子接触部４４が開かれてその間に開閉部５２が配置され、更に、ハウジング側凸部５５がコンタクト側凸部５４に係止した状態で、ハウジング４２がコンタクト４１に対して係止されて取り付けられる（図１５、図１９、図２０参照）。
【０１３０】
ハウジング４２がコンタクト４１に係止された状態のコネクタ１は、そのコンタクト４１の設置部４３において、ＧＮＤバー１０２の設置面１０２ａの所定位置に設置される。このとき、一対のＧＮＤ側係合部分（４３ｅ、４３ｅ）がＧＮＤバー１０２に形成された穴に嵌まり込んで係合することで、コネクタ２がコンタクト４１においてＧＮＤバー１０２に対して固定される。尚、ＧＮＤバー１０２は液晶表示装置のバックライトとしての蛍光管１０３が装着されるＧＮＤバーとして設けられており、コネクタ２は、ＧＮＤバー１０２に沿って複数並んで設置される。
【０１３１】
次いで、複数のコネクタ２が設置されたＧＮＤバー１０２に対して複数の蛍光管１０３が装着される。各蛍光管１０３は、ＧＮＤバー１０２に配置された各コネクタ２に対してその端子１０３ａにて接続されることになり、まず、蛍光管１０３の端子１０３ａがコネクタ２に対して配置される。このとき、蛍光管１０３及びその端子１０３ａに対してほとんど外力が作用することなく、端子１０３ａが一対の端子接触部４４の間に挿入されて配置される。即ち、コネクタ２は、ＺＩＦ（Zero Insertion Force）コネクタとして構成されている。尚、蛍光管１０３は、ＧＮＤバー１０２が固定されるフレーム部材やパネル部材上において、コネクタ２以外によっても支持される。また、蛍光管１０３におけるコネクタ２に接続される側と反対側の端部から突出した端子は、図示しない他のコネクタに対して接続される。
【０１３２】
コネクタ２における一対の端子接触部４４間に蛍光管１０３の端子１０３ａが配置されると（図１９参照）、次いで、ハウジング４２のコンタクト４１に対する相対移動が行われる。この相対移動が行われる際には、ハウジング４２は、設置面１０２ａに平行に一対の端子接触部４４と反対方向に（図２４の矢印Ｑ方向に）付勢される。これにより、図２５によく示すように、ハウジング側凸部５５がコンタクト側凸部５４を乗り越え、ハウジング４２がコンタクト４１の側壁４６に摺接しながらコンタクト４１に対して相対移動することになる。そして、ハウジング４２とともに移動する開閉部５２が、一対の端子接触部４４の間から設置面１０２ａに平行に移動し、この一対の端子接触部４４の間を通過して抜け出ることでコンタクト４１が弾性回復して閉じる方向に変位する。これにより、蛍光管１０３の端子１０３ａが一対の端子接触部４４に接触するとともに保持され、端子１０３ａとコネクタ２とが電気的に接続されることになる。そして、端子１０３ａは、ハウジング４２の保持力と一対の端子接触部４４の弾性力による保持力とによって強固に保持されることになる。
【０１３３】
ハウジング４２のコンタクト４１に対する相対移動が完了して端子１０３ａとコネクタ２との接続が完成した状態では、ハウジング４２がコンタクト４１のハウジング側係合部４３ｄに係合し、ハウジング４２がコンタクト４１から外れてしまうことが防止されている。また、接続が完成した状態では、端子１０３ａは、複数の突出片部（４８、４８）に設けられた出っ張り部分４８ａによって設置面１０２ａと反対側への脱落が防止されている。
【０１３４】
以上説明したコネクタ２によると、一体に形成されたコンタクト４１及びハウジング４２が１つずつ設けられることでコネクタ２が構成されるため、コネクタ２の構成部品点数を最小化することができる。そして、コンタクト４１における一対の端子接触部４４がＧＮＤバー１０２の設置面１０２ａに対して平行に配置されるため、市場でのアプリケーションの薄型化の要求（例えば、液晶表示装置の薄型化の要求）に対応可能なようにコネクタ構造の薄型化を図ることができる。
【０１３５】
また、コネクタ２では、ハウジング４２が、コンタクト４１の両側壁（４６、４６）に外側で摺接可能に配置される。このため、コネクタ２は、特許文献２に開示されたコネクタとは異なり、ハウジングの内側に配置される一対の端子接触部を有するコンタクトに一体に形成されてハウジングの更に外側に配置される大きなガイド板が設けられたような構造となることがない。これにより、コネクタ２によると、薄型のコネクタ構造において、構造の更なる小型化及び簡素化を図ることができる。また、コネクタ２では、ハウジング４２がコンタクト４１に摺接しながら直線方向に相対移動することで蛍光管１０３の端子１０３ａに端子接触部（４４ａ、４４ｂ）を接触させて蛍光管１０３の端子１０３ａへの電気的な接続が完成することになるため、蛍光管１０３の端子１０３ａに対する接続工程の簡素化を図ることができる。
【０１３６】
更に、コネクタ２では、ハウジング４２は、コンタクト４１に対して相対移動する前の状態において一対の端子接触部４４を開かせた状態でコンタクト４１の側壁（４６、４６）に対して係止される。このため、蛍光管１０３の端子１０３ａと電気的に接続される前の状態において、開かせた一対の端子接触部４４の間に端子１０３ａを容易に外力をほとんど作用させることなく配置することができる。そして、端子１０３ａへの電気的な接続が完成する前に、一旦、ハウジング４２がコンタクト４１の側壁（４６、４６）に係止される状態を実現することができるため、その後、ハウジング４２をコンタクト４１に対して相対移動させるだけで、容易に効率よく接続作業を行うことができる。更に、ハウジング４２でコンタクト４１を弾性変形させて一対の端子接触部４４を開かせた状態で端子１０３ａが配置されるため、その後にハウジング４２が相対移動して電気的な接続が完成した状態では、ハウジング４２での保持力に加えて、コンタクト４１の弾性力による保持力も確保されることになる。これにより、蛍光管１０３の端子１０３ａをより強固に保持することができる。
【０１３７】
従って、本実施形態によると、構成部品点数を最小化できるとともに線状の端子１０３ａに対する接続工程を簡素化でき、線状の端子１０３ａに外力をほとんど作用させずに配置した後に容易に効率よく接続作業を行えるとともに線状の端子１０３ａを強固に保持することができ、更に、市場でのアプリケーションの薄型化の要求に対応可能な薄型のコネクタ構造において構造の更なる小型化及び簡素化を図ることができるコネクタ２を提供することができる。
【０１３８】
また、コネクタ２によると、ハウジング４２の相対移動前の状態では、延長部接触位置Ｐ３から蛍光管１０３の端子１０３ａに接触する位置までのコンタクト４１に沿った経路Ｌ３の長さ寸法が長く確保される。よって、ハウジング４２の相対移動前で一対の端子接触部４４の間に蛍光管１０３の端子１０３ａが配置される状態においては、一対の延長部４５が撓み易い状態となるため、端子１０３ａを配置し易いように一対の端子接触部４４を容易に開かせることができる。一方、ハウジング４２の相対移動後の状態では、接触位置調整部（５３、５３）の作動により、経路Ｌ４の長さ寸法が短く調整されることになる。このため、ハウジング４２の相対移動後で一対の端子接触部４４の間に蛍光管１０３の端子１０３ａが保持される状態においては、一対の延長部４５が撓み難い状態となるため、端子１０３ａをより強固に保持することができる。従って、端子１０３ａを配置する際には一対の端子接触部４４の間を容易に開かせるとともに、端子１０３ａを保持する際にはより強固な保持力を確保することができるように、ハウジング４２の相対移動に伴って調整可能なコネクタ構造を実現することができる。
【０１３９】
また、コネクタ２によると、ハウジング４２がコンタクト４１の側壁（４６、４６）に係止されて相対移動を行う前の状態においては、ハウジング４２に設けられた開閉部５２によって、一対の端子接触部４４が弾性変形して強制的に開かれた状態となる。一方、ハウジング４２の相対移動が行われると、ハウジング４２に設けられた開閉部５２も移動し、一対の端子接触部４４が弾性回復して閉じることで蛍光管１０３の端子１０３ａが保持されることになる。このため、ハウジング４２の相対移動前後における一対の端子接触部４４に対する開閉部５２の位置の変化を有効的に活用して、ハウジング４２の相対移動前後でハウジング４２の動作に連動して一対の端子接触部４４を自動的に開閉させる機構を構成することができる。
【０１４０】
また、コネクタ２によると、一対の端子接触部４４には、コンタクト４１の内側に向かって出っ張る出っ張り部分４８ａがそれぞれ形成された複数の第２突出片部（４８、４８）が設けられている。そして、ハウジング４２の相対移動が行われて一対の端子接触部４４に蛍光管１０３の端子１０３ａが保持された際には、上記の出っ張り部分４８ａによって、設置面１０２ａ側と反対側への端子１０３ａの移動が規制される。このため、一対の端子接触部４４に出っ張り部分４８ａを有する第２突出片部（４８、４８）を設けるという簡素な構成によって、一対の端子接触部４４の間で保持された端子１０３ａの脱落を効率よく防止することができる。
【０１４１】
以上、本発明の実施形態について説明したが、本発明は上述の実施の形態に限られるものではなく、特許請求の範囲に記載した限りにおいて様々な変更が可能なものである。例えば、次のように変更して実施してもよい。
【０１４２】
（１）第１及び第２実施形態では、液晶表示装置のバックライトを構成する蛍光管の端子に対して接続されるコネクタを例にとって説明したが、この例に限らず本発明を適用することができる。線状の端子は、蛍光管の端子以外の端子であってもよく、また、平板状の部材は、基板や金属製のバー部材（ＧＮＤバー、金属バー）以外の平板状の部材であってもよい。即ち、線状の端子にコンタクトが接触するとともに線状の端子を保持することで線状の端子に対して接続されるコネクタに関して、本発明を広く適用することができる。
【０１４３】
（２）コンタクトにおける一対の端子接触部、一対の延長部、側壁、複数の第１突出片部、複数の第２突出片部については、第１及び第２実施形態で例示した形態に限らず、形状等を種々変更して実施してもよい。ハウジングにおける開閉部、接触位置調整部、内側係合部については、第１及び第２実施形態で例示した形態に限らず、形状等を種々変更して実施してもよい。コンタクト及びハウジングにおける係止部については、第１及び第２実施形態で例示した形態に限らず、形状等を種々変更して実施してもよい。
【０１４４】
（３）ハウジングのコンタクトに対する相対移動方向については、第１及び第２実施形態で例示した方向に限らず、コンタクトの側壁に摺接しながら直線方向に沿ってハウジングが相対移動するものであればよい。
【０１４５】
（４）第１実施形態では、接触位置調整部が、ハウジングにおいてコンタクトの側壁に接触する壁部の厚みが変化した部分を有するように形成されている形態を例にとって説明したが、この通りでなくてもよい。例えば、図２６及び図２７に断面図を示すコネクタ３、或いは図２８に断面図を示すコネクタ４を実施してもよい。尚、図２６乃至図２８の説明においては、第１実施形態と同様に構成される要素については、図面において同一の符号を付することで、説明を省略する。
【０１４６】
図２６及び図２７に示すコネクタ３には、接触位置調整部（６０、６０）が設けられている。各接触位置調整部６０は、コンタクト１１の側壁（１６、１６）において段状に盛り上がるように形成された部分を有するように設けられたコンタクト側接触位置調整部６０ａと、ハウジング１２の壁部の厚みが変化した部分を有するように設けられたハウジング側接触位置調整部６０ｂとを備えて構成されている。尚、図２６（ａ）は、ハウジング１２がコンタクト１１に対して相対移動する前の状態の断面図であって第１実施形態における図５（ｂ）に対応する状態の断面図を示している。一方、図２６（ｂ）は、ハウジング１２がコンタクト１１に対して相対移動した後の状態の断面図であって第１実施形態における図１１（ｂ）に対応する状態の断面図を示している。図２６では、蛍光管１０１の端子１０１ａの図示を省略している。また、図２７（ａ）は、図２６（ａ）の一部を拡大して示す拡大断面図（図２７（ａ））であり、図２７（ｂ）は、図２６（ｂ）の一部を拡大して示す拡大断面図である。
【０１４７】
ハウジング１２がコンタクト１１に対して相対移動して、図２６（ａ）及び図２７（ａ）に示す状態から図２６（ｂ）及び図２７（ｂ）に示す状態へとコネクタ３の状態が移行することにより、コンタクト側接触位置調整部６０ａとハウジング側接触位置調整部６０ｂとの接触位置状態が変化することになる。これにより、接触位置調整部（６０、６０）は、延長部接触位置から一対の端子接触部１４のそれぞれにおける端子１０１ａ（図示省略）に接触する位置までのコンタクト１１に沿った経路の長さ寸法を短くなるように調整するよう構成されている。この接触位置調整部（６０、６０）を備えるコネクタ３においても、接触位置調整部２３を備えるコネクタ１と同様の効果を奏することができる。
【０１４８】
図２８に示すコネクタ４には、ハウジング１２において、接触位置調整部（６１、６１）が設けられている。各接触位置調整部６１は、コンタクト１１の側壁１６の一部を構成する延長部（１５ａ、１５ｂ）の縁部分が嵌まり込むことでこの縁部分を保持するように形成された凹み部分を備えて構成されている。即ち、接触位置調整部６１は、ハウジング１２がコンタクト１１に対して相対移動したときに、嵌まり込んだ延長部（１５ａ、１５ｂ）の縁部分を保持することで所定の経路の長さ寸法を短くなるよう調整する部分として設けられている。尚、図２８（ａ）は、ハウジング１２がコンタクト１１に対して相対移動する前の状態の断面図であって第１実施形態における図５（ｂ）に対応する状態の断面図を示している。一方、図２８（ｂ）は、ハウジング１２がコンタクト１１に対して相対移動した後の状態の断面図であって第１実施形態における図１１（ｂ）に対応する状態の断面図を示している。図２８では、蛍光管１０３の端子１０３ａの図示を省略している。
【０１４９】
ハウジング１２がコンタクト１１に対して相対移動して、図２８（ａ）に示す状態から図２８（ｂ）に示す状態へとコネクタ４の状態が移行することにより、延長部（１５ａ、１５ｂ）の縁部分が接触位置調整部６１に嵌まり込むことになる。これにより、接触位置調整部（６１、６１）は、延長部接触位置から一対の端子接触部１４のそれぞれにおける端子１０１ａ（図示省略）に接触する位置までのコンタクト１１に沿った経路の長さ寸法を短くなるように調整するよう構成されている。この接触位置調整部（６１、６１）を備えるコネクタ４においても、接触位置調整部２３を備えるコネクタ１と同様の効果を奏することができる。
【産業上の利用可能性】
【０１５０】
本発明は、線状の端子にコンタクトが接触するとともに線状の端子を保持することで線状の端子に対して接続されるコネクタに関して、広く適用することができるものである。
【符号の説明】
【０１５１】
１                      コネクタ
１１                    コンタクト
１２                    ハウジング
１４                    一対の端子接触部
１６                    側壁
１００                  基板（平板状の部材）
１００ａ                設置面
１０１ａ                蛍光管の端子（線状の端子）
【図１】
0005571441.tif 000002
【図２】
0005571441.tif 000003
【図３】
0005571441.tif 000004
【図４】
0005571441.tif 000005
【図５】
0005571441.tif 000006
【図６】
0005571441.tif 000007
【図７】
0005571441.tif 000008
【図８】
0005571441.tif 000009
【図９】
0005571441.tif 000010
【図１０】
0005571441.tif 000011
【図１１】
0005571441.tif 000012
【図１２】
0005571441.tif 000013
【図１３】
0005571441.tif 000014
【図１４】
0005571441.tif 000015
【図１５】
0005571441.tif 000016
【図１６】
0005571441.tif 000017
【図１７】
0005571441.tif 000018
【図１８】
0005571441.tif 000019
【図１９】
0005571441.tif 000020
【図２０】
0005571441.tif 000021
【図２１】
0005571441.tif 000022
【図２２】
0005571441.tif 000023
【図２３】
0005571441.tif 000024
【図２４】
0005571441.tif 000025
【図２５】
0005571441.tif 000026
【図２６】
0005571441.tif 000027
【図２７】
0005571441.tif 000028
【図２８】
0005571441.tif 000029